(57)【要約】【課題】高解像度の画像を表示することができる表示装置を提供する。【解決手段】第１の表示部と、第２の表示部と、視差バリアと、を有する。第１の表示部は第１の表示素子を有し、第２の表示部は第２の表示素子を有する。第１の表示素子は自発光する機能を有する発光層を有し、第２の表示素子は液晶層を有し、また第２の表示素子が表示を行う方向に外光を反射する機能を有する導電層を有する。また、第１の表示素子は右目用の画像または左目用の画像の一方を表示する機能を有し、第２の表示素子は、右目用の画像または左目用の画像の他方を表示する機能を有する。第１の表示素子により表示される画像の輝度は、外光の照度に応じて変化する。【選択図】図１
2017207601.tif 000002
【特許請求の範囲】
【請求項１】
第１の表示部と、第２の表示部と、視差バリアと、を有し、
前記第１の表示部は、第１の表示素子を有し、
前記第２の表示部は、第２の表示素子を有し、
前記第１の表示素子は、発光層を有し、
前記第２の表示素子は、液晶層および導電層を有し、
前記第１の表示素子は、右目用の画像または左目用の画像の一方を表示する機能を有し、
前記第２の表示素子は、右目用の画像または左目用の画像の他方を表示する機能を有し、
前記発光層は、自発光する機能を有し、
前記導電層は、前記第２の表示素子が表示を行う方向に外光を反射する機能を有し、
前記第１の表示素子により表示される画像の輝度は、外光の照度に応じて変化することを特徴とする表示装置。
【請求項２】
第１の表示部と、第２の表示部と、第１の回路と、第２の回路と、第３の回路と、第４の回路と、を有し、
前記第１の表示部は、第１の表示素子を有し、
前記第２の表示部は、第２の表示素子を有し、
前記第１の表示素子は、発光層を有し、
前記第２の表示素子は、液晶層および導電層を有し、
前記第１の表示素子は、第１の表示データに対応する画像を表示する機能を有し、
前記第２の表示素子は、第２の表示データに対応する画像を表示する機能を有し、
前記発光層は、自発光する機能を有し、
前記導電層は、前記第２の表示素子が表示を行う方向に外光を反射する機能を有し、
前記第１の表示データは、右目用の画像または左目用の画像の一方に対応する表示データであり、
前記第２の表示データは、右目用の画像または左目用の画像の他方に対応する表示データであり、
前記第１の回路は、外光の照度を検出する機能を有し、
前記第２の回路は、前記第１の表示データおよび前記第２の表示データを受信する機能を有し、
前記第２の回路は、受信した前記第１の表示データを前記第３の回路に送信し、受信した前記第２の表示データを前記第４の回路に送信する機能を有し、
前記第２の回路は、前記第１の回路により検出された外光の照度に応じて、前記第１の表示素子により表示される画像の輝度を制御する機能を有し、
前記第３の回路は、前記第２の回路から受信した前記第１の表示データを前記第１の表示素子に送信する機能を有し、
前記第４の回路は、前記第２の回路から受信した前記第２の表示データを前記第２の表示素子に送信する機能を有することを特徴とする表示装置。
【請求項３】
請求項１または２において、
前記第１の表示部は、前記第２の表示部の下方に設けられることを特徴とする表示装置。
【請求項４】
請求項１乃至３のいずれか一項において、
前記第１の表示素子により表示される画像の輝度は、前記第２の表示素子により表示される画像の輝度と等しくなるように制御されることを特徴とする表示装置。
【請求項５】
請求項１乃至４のいずれか一項において、
前記第１の表示素子は、第１の電極と、第２の電極と、を有し、
前記第１の電極および前記第２の電極に挟まれるように前記発光層が設けられ、
前記第１の電極に印加された電位と、前記第２の電極に印加された電位と、の電位差を制御することにより、前記第１の表示素子により表示される画像の輝度を制御することを特徴とする表示装置。
【請求項６】
請求項１乃至５のいずれか一項において、
前記発光層は、有機ＥＬ層であることを特徴とする表示装置。
【請求項７】
請求項１乃至６のいずれか一項に記載の表示装置と、
操作キーと、を有することを特徴とする電子機器。
【発明の詳細な説明】
【技術分野】
【０００１】
本発明の一態様は、表示装置および電子機器に関する。
【０００２】
なお、本発明の一態様は、上記の技術分野に限定されない。本明細書等で開示する発明の一態様の技術分野は、物、方法、または、製造方法に関するものである。または、本発明の一態様は、プロセス、マシン、マニュファクチャ、または、組成物（コンポジション・オブ・マター）に関するものである。そのため、より具体的に本明細書等で開示する本発明の一態様の技術分野としては、半導体装置、表示装置、発光装置、蓄電装置、記憶装置、それらの駆動方法、または、それらの製造方法、を一例として挙げることができる。
【背景技術】
【０００３】
テレビ受像機などの大型表示装置から携帯電話などの小型表示装置に至るまでさまざまな表示装置が市場に普及している。今後は、より付加価値の高い製品が求められており開発が進められている。近年では、より臨場感のある画像を再現するため、３次元表示が可能な表示装置の開発が進められている。
【０００４】
３次元表示を行う表示方式としては、左目で見る画像と右目で見る画像とを分離するための眼鏡を用いる方式（画像分離方式ともいう）と、表示部において左目で見る画像と右目で見る画像を分離するための構成を追加し裸眼での３次元表示を可能にする裸眼方式と、がある。裸眼方式による３次元表示は、眼鏡を別途準備する必要がなく、利便性に優れている。裸眼方式による３次元表示は、携帯電話や携帯型遊技機等で普及しつつある。
【０００５】
裸眼方式による３次元表示としては、表示部に視差バリアを追加する、所謂視差バリア方式（パララックスバリア方式とも言う）が知られている。この場合、例えば隣り合う２つの画素を一対として、一方を右目で見る画像を表示するための画素とし、他方を左目で見る画像を表示するための画素とすることにより、左目で見る画像と右目で見る画像を同時に表示する（特許文献１）。
【先行技術文献】
【特許文献】
【０００６】
【特許文献１】特開２０１２−２３７９９２号公報
【発明の概要】
【発明が解決しようとする課題】
【０００７】
より高品質な３次元画像を表示することができる表示装置が求められている。
【０００８】
本発明の一態様は、高解像度の画像を表示することができる表示装置を提供することを課題の一とする。または、自然な立体感を有する３次元画像を表示することができる表示装置を提供することを課題の一とする。または、高品質の画像を表示することができる表示装置を提供することを課題の一とする。または、低消費電力の表示装置を提供することを課題の一とする。または、新規な表示装置を提供することを課題の一とする。
【０００９】
なお、これらの課題の記載は、他の課題の存在を妨げるものではない。なお、本発明の一態様は、これらの課題の全てを解決する必要はないものとする。なお、これら以外の課題は、明細書、図面、請求項などの記載から、自ずと明らかとなるものであり、明細書、図面、請求項などの記載から、これら以外の課題を抽出することが可能である。
【課題を解決するための手段】
【００１０】
本発明の一態様は、第１の表示部と、第２の表示部と、視差バリアと、を有し、第１の表示部は、第１の表示素子を有し、第２の表示部は、第２の表示素子を有し、第１の表示素子は、発光層を有し、第２の表示素子は、液晶層および導電層を有し、第１の表示素子は、右目用の画像または左目用の画像の一方を表示する機能を有し、第２の表示素子は、右目用の画像または左目用の画像の他方を表示する機能を有し、発光層は、自発光する機能を有し、導電層は、第２の表示素子が表示を行う方向に外光を反射する機能を有し、第１の表示素子により表示される画像の輝度は、外光の照度に応じて変化することを特徴とする表示装置である。
【００１１】
また、本発明の一態様は、第１の表示部と、第２の表示部と、第１の回路と、第２の回路と、第３の回路と、第４の回路と、を有し、第１の表示部は、第１の表示素子を有し、第２の表示部は、第２の表示素子を有し、第１の表示素子は、発光層を有し、第２の表示素子は、液晶層および導電層を有し、第１の表示素子は、第１の表示データに対応する画像を表示する機能を有し、第２の表示素子は、第２の表示データに対応する画像を表示する機能を有し、発光層は、自発光する機能を有し、導電層は、第２の表示素子が表示を行う方向に外光を反射する機能を有し、第１の表示データは、右目用の画像または左目用の画像の一方に対応する表示データであり、第２の表示データは、右目用の画像または左目用の画像の他方に対応する表示データであり、第１の回路は、外光の照度を検出する機能を有し、第２の回路は、第１の表示データおよび第２の表示データを受信する機能を有し、第２の回路は、受信した第１の表示データを第３の回路に送信し、受信した第２の表示データを第４の回路に送信する機能を有し、第２の回路は、第１の回路により検出された外光の照度に応じて、第１の表示素子により表示される画像の輝度を制御する機能を有し、第３の回路は、第２の回路から受信した第１の表示データを第１の表示素子に送信する機能を有し、第４の回路は、第２の回路から受信した第２の表示データを第２の表示素子に送信する機能を有することを特徴とする表示装置である。
【００１２】
また、第１の表示部は、第２の表示部の下方に設けられていてもよい。
【００１３】
また、第１の表示素子により表示される画像の輝度は、第２の表示素子により表示される画像の輝度と等しくなるように制御されてもよい。
【００１４】
また、第１の表示素子は、第１の電極と、第２の電極と、を有し、第１の電極および第２の電極に挟まれるように発光層が設けられ、第１の電極に印加された電位と、第２の電極に印加された電位と、の電位差を制御することにより、第１の表示素子により表示される画像の輝度を制御してもよい。
【００１５】
また、発光層は有機ＥＬ（Ｅｌｅｃｔｒｏ  Ｌｕｍｉｎｅｓｃｅｎｃｅ）層であってもよい。
【００１６】
本発明の一態様の表示装置と、操作キーと、を有する電子機器も本発明の一態様である。
【発明の効果】
【００１７】
本発明の一態様によれば、高解像度の画像を表示することができる表示装置を提供することができる。または、自然な立体感を有する３次元画像を表示することができる表示装置を提供することができる。または、高品質の画像を表示することができる表示装置を提供することができる。または、低消費電力の表示装置を提供することができる。または、新規な表示装置を提供することができる。
【００１８】
なお、これらの効果の記載は、他の効果の存在を妨げるものではない。なお、本発明の一態様は、必ずしも、これらの効果の全てを有する必要はない。なお、これら以外の効果は、明細書、図面、請求項などの記載から、自ずと明らかとなるものであり、明細書、図面、請求項などの記載から、これら以外の効果を抽出することが可能である。
【図面の簡単な説明】
【００１９】
【図１】表示装置を説明する斜視図および断面図。
【図２】表示装置を説明する断面図。
【図３】表示装置を説明するブロック図。
【図４】表示装置を説明するブロック図。
【図５】表示装置を説明するブロック図。
【図６】画素回路を説明する回路図。
【図７】表示装置を説明する断面図。
【図８】開口部の位置を説明する上面図。
【図９】トランジスタを説明する断面図。
【図１０】トランジスタを説明する断面図。
【図１１】トランジスタを説明する断面図。
【図１２】表示モジュールを説明する図。
【図１３】電子機器を説明する図。
【発明を実施するための形態】
【００２０】
以下、本発明の一態様について図面を参照しながら説明する。但し、本発明の一態様は多くの異なる態様で実施することが可能であり、趣旨およびその範囲から逸脱することなくその形態および詳細を様々に変更し得ることは当業者であれば容易に理解される。従って、本発明は、以下の記載内容に限定して解釈されるものではない。
【００２１】
本明細書等に添付した図面では、構成要素を機能ごとに分類し、互いに独立したブロックとしてブロック図を示しているが、実際の構成要素は機能ごとに完全に切り分けることが難しく、一つの構成要素が複数の機能に係わることもあり得る。
【００２２】
本明細書等においてトランジスタが有するソースとドレインは、トランジスタの極性および各端子に与えられる電位の高低によって、その呼び方が入れ替わる。一般的に、ｎチャネル型トランジスタでは、低い電位が与えられる端子がソースと呼ばれ、高い電位が与えられる端子がドレインと呼ばれる。また、ｐチャネル型トランジスタでは、低い電位が与えられる端子がドレインと呼ばれ、高い電位が与えられる端子がソースと呼ばれる。本明細書等では、便宜上、ソースとドレインとが固定されているものと仮定して、トランジスタの接続関係を説明する場合があるが、実際には上記電位の関係に従ってソースとドレインの呼び方が入れ替わる。
【００２３】
本明細書等においてトランジスタのソースとは、活性層として機能する半導体膜の一部であるソース領域、或いは上記半導体膜に接続されたソース電極を意味する。同様に、トランジスタのドレインとは、上記半導体膜の一部であるドレイン領域、或いは上記半導体膜に接続されたドレイン電極を意味する。また、ゲートはゲート電極を意味する。
【００２４】
本明細書等においてトランジスタが直列に接続されている状態とは、例えば、第１のトランジスタのソースまたはドレインの一方のみが、第２のトランジスタのソースまたはドレインの一方のみに接続されている状態を意味する。また、トランジスタが並列に接続されている状態とは、第１のトランジスタのソースまたはドレインの一方が第２のトランジスタのソースまたはドレインの一方に接続され、第１のトランジスタのソースまたはドレインの他方が第２のトランジスタのソースまたはドレインの他方に接続されている状態を意味する。
【００２５】
本明細書等において接続とは、電気的な接続を意味しており、電流、電圧または電位が、供給可能、或いは伝送可能な状態に相当する。従って、接続している状態とは、直接接続している状態を必ずしも指すわけではなく、電流、電圧または電位が、供給可能、或いは伝送可能であるように、配線、抵抗、ダイオード、トランジスタなどの回路素子を介して間接的に接続している状態も、その範疇に含む。
【００２６】
本明細書等において回路図上は独立している構成要素どうしが接続されている場合であっても、実際には、例えば配線の一部が電極として機能する場合など、一の導電膜が、複数の構成要素の機能を併せ持っている場合もある。本明細書等において接続とは、このような、一の導電膜が、複数の構成要素の機能を併せ持っている場合も、その範疇に含める。
【００２７】
また、本明細書等において、トランジスタの第１の電極または第２の電極の一方がソース電極を、他方がドレイン電極を指す。
【００２８】
例えば、本明細書等において、ＸとＹとが接続されている、と明示的に記載されている場合は、ＸとＹとが電気的に接続されている場合と、ＸとＹとが機能的に接続されている場合と、ＸとＹとが直接接続されている場合とが、本明細書等に開示されているものとする。したがって、所定の接続関係、例えば、図または文章に示された接続関係に限定されず、図または文章に示された接続関係以外のものも、図または文章に記載されているものとする。
【００２９】
ここで、Ｘ、Ｙは、対象物（例えば、装置、素子、回路、配線、電極、端子、導電膜、層、など）であるとする。
【００３０】
ＸとＹとが直接的に接続されている場合の一例としては、ＸとＹとの電気的な接続を可能とする素子（例えば、スイッチ、トランジスタ、容量素子、インダクタ、抵抗素子、ダイオード、表示素子、発光素子、負荷など）が、ＸとＹとの間に接続されていない場合であり、ＸとＹとの電気的な接続を可能とする素子（例えば、スイッチ、トランジスタ、容量素子、インダクタ、抵抗素子、ダイオード、表示素子、発光素子、負荷など）を介さずに、ＸとＹとが、接続されている場合である。
【００３１】
ＸとＹとが電気的に接続されている場合の一例としては、ＸとＹとの電気的な接続を可能とする素子（例えば、スイッチ、トランジスタ、容量素子、インダクタ、抵抗素子、ダイオード、表示素子、発光素子、負荷など）が、ＸとＹとの間に１個以上接続されることが可能である。なお、スイッチは、オンオフが制御される機能を有している。つまり、スイッチは、導通状態（オン状態）、または、非導通状態（オフ状態）になり、電流を流すか流さないかを制御する機能を有している。または、スイッチは、電流を流す経路を選択して切り替える機能を有している。なお、ＸとＹとが電気的に接続されている場合は、ＸとＹとが直接的に接続されている場合を含むものとする。
【００３２】
ＸとＹとが機能的に接続されている場合の一例としては、ＸとＹとの機能的な接続を可能とする回路（例えば、論理回路（インバータ、ＮＡＮＤ回路、ＮＯＲ回路など）、信号変換回路（ＤＡ変換回路、ＡＤ変換回路、ガンマ補正回路など）、電位レベル変換回路（電源回路（昇圧回路、降圧回路など）、信号の電位レベルを変えるレベルシフタ回路など）、電圧源、電流源、切り替え回路、増幅回路（信号振幅または電流量などを大きく出来る回路、オペアンプ、差動増幅回路、ソースフォロワ回路、バッファ回路など）、信号生成回路、記憶回路、制御回路など）が、ＸとＹとの間に１個以上接続されることが可能である。なお、一例として、ＸとＹとの間に別の回路を挟んでいても、Ｘから出力された信号がＹへ伝達される場合は、ＸとＹとは機能的に接続されているものとする。なお、ＸとＹとが機能的に接続されている場合は、ＸとＹとが直接的に接続されている場合と、ＸとＹとが電気的に接続されている場合とを含むものとする。
【００３３】
なお、ＸとＹとが電気的に接続されている、と明示的に記載されている場合は、ＸとＹとが電気的に接続されている場合（つまり、ＸとＹとの間に別の素子または別の回路を挟んで接続されている場合）と、ＸとＹとが機能的に接続されている場合（つまり、ＸとＹとの間に別の回路を挟んで機能的に接続されている場合）と、ＸとＹとが直接接続されている場合（つまり、ＸとＹとの間に別の素子または別の回路を挟まずに接続されている場合）とが、本明細書等に開示されているものとする。つまり、電気的に接続されている、と明示的に記載されている場合は、単に、接続されている、とのみ明示的に記載されている場合と同様な内容が、本明細書等に開示されているものとする。
【００３４】
なお、例えば、トランジスタのソース（または第１の端子など）が、Ｚ１を介して（または介さず）、Ｘと電気的に接続され、トランジスタのドレイン（または第２の端子など）が、Ｚ２を介して（または介さず）、Ｙと電気的に接続されている場合や、トランジスタのソース（または第１の端子など）が、Ｚ１の一部と直接的に接続され、Ｚ１の別の一部がＸと直接的に接続され、トランジスタのドレイン（または第２の端子など）が、Ｚ２の一部と直接的に接続され、Ｚ２の別の一部がＹと直接的に接続されている場合では、以下のように表現することが出来る。
【００３５】
例えば、「ＸとＹとトランジスタのソース（または第１の端子など）とドレイン（または第２の端子など）とは、互いに電気的に接続されており、Ｘ、トランジスタのソース（または第１の端子など）、トランジスタのドレイン（または第２の端子など）、Ｙの順序で電気的に接続されている。」と表現することができる。または、「トランジスタのソース（または第１の端子など）は、Ｘと電気的に接続され、トランジスタのドレイン（または第２の端子など）はＹと電気的に接続され、Ｘ、トランジスタのソース（または第１の端子など）、トランジスタのドレイン（または第２の端子など）、Ｙは、この順序で電気的に接続されている」と表現することができる。または、「Ｘは、トランジスタのソース（または第１の端子など）とドレイン（または第２の端子など）とを介して、Ｙと電気的に接続され、Ｘ、トランジスタのソース（または第１の端子など）、トランジスタのドレイン（または第２の端子など）、Ｙは、この接続順序で設けられている」と表現することができる。これらの例と同様な表現方法を用いて、回路構成における接続の順序について規定することにより、トランジスタのソース（または第１の端子など）と、ドレイン（または第２の端子など）とを、区別して、技術的範囲を決定することができる。
【００３６】
または、別の表現方法として、例えば、「トランジスタのソース（または第１の端子など）は、少なくとも第１の接続経路を介して、Ｘと電気的に接続され、前記第１の接続経路は、第２の接続経路を有しておらず、前記第２の接続経路は、トランジスタを介した、トランジスタのソース（または第１の端子など）とトランジスタのドレイン（または第２の端子など）との間の経路であり、前記第１の接続経路は、Ｚ１を介した経路であり、トランジスタのドレイン（または第２の端子など）は、少なくとも第３の接続経路を介して、Ｙと電気的に接続され、前記第３の接続経路は、前記第２の接続経路を有しておらず、前記第３の接続経路は、Ｚ２を介した経路である。」と表現することができる。または、「トランジスタのソース（または第１の端子など）は、少なくとも第１の接続経路によって、Ｚ１を介して、Ｘと電気的に接続され、前記第１の接続経路は、第２の接続経路を有しておらず、前記第２の接続経路は、トランジスタを介した接続経路を有し、トランジスタのドレイン（または第２の端子など）は、少なくとも第３の接続経路によって、Ｚ２を介して、Ｙと電気的に接続され、前記第３の接続経路は、前記第２の接続経路を有していない。」と表現することができる。または、「トランジスタのソース（または第１の端子など）は、少なくとも第１の電気的パスによって、Ｚ１を介して、Ｘと電気的に接続され、前記第１の電気的パスは、第２の電気的パスを有しておらず、前記第２の電気的パスは、トランジスタのソース（または第１の端子など）からトランジスタのドレイン（または第２の端子など）への電気的パスであり、トランジスタのドレイン（または第２の端子など）は、少なくとも第３の電気的パスによって、Ｚ２を介して、Ｙと電気的に接続され、前記第３の電気的パスは、第４の電気的パスを有しておらず、前記第４の電気的パスは、トランジスタのドレイン（または第２の端子など）からトランジスタのソース（または第１の端子など）への電気的パスである。」と表現することができる。これらの例と同様な表現方法を用いて、回路構成における接続経路について規定することにより、トランジスタのソース（または第１の端子など）と、ドレイン（または第２の端子など）とを、区別して、技術的範囲を決定することができる。
【００３７】
なお、これらの表現方法は、一例であり、これらの表現方法に限定されない。ここで、Ｘ、Ｙ、Ｚ１、Ｚ２は、対象物（例えば、装置、素子、回路、配線、電極、端子、導電膜、層、など）であるとする。
【００３８】
なお、回路図上は独立している構成要素同士が電気的に接続しているように図示されている場合であっても、１つの構成要素が、複数の構成要素の機能を併せ持っている場合もある。例えば配線の一部が電極としても機能する場合は、一の導電膜が、配線の機能、および電極の機能の両方の構成要素の機能を併せ持っている。したがって、本明細書における電気的に接続とは、このような、一の導電膜が、複数の構成要素の機能を併せ持っている場合も、その範疇に含める。
【００３９】
（実施の形態１）
本実施の形態では、本発明の一態様の表示装置の構成例について、図面を参照しながら説明する。
【００４０】
本発明の一態様は、第１の表示部と、第２の表示部と、視差バリアと、と積層されて設けられた表示装置に関する。第１の表示部には第１の画素がマトリクス状に配置されており、第２の表示部には第２の画素がマトリクス状に配置されている。第１の画素は第１の表示素子を有し、第２の画素は第２の表示素子を有する。第１の表示素子は、発光層などを有し、第２の表示素子は、液晶層および反射電極などを有する。視差バリアを適切な位置に設けることにより、第１の表示素子により表示される画像は右目または左目の一方でのみ見ることができ、第２の表示素子により表示される画像は右目または左目の他方でのみ見ることができる。したがって、第１の表示素子に右目用の画像または左目用の画像の一方を表示し、第２の表示素子に右目用の画像または左目用の画像の他方を表示することにより、３次元画像を表示することができる。
【００４１】
また、本発明の一態様の表示装置では、すべての第１の画素が有する第１の表示素子により右目用の画像または左目用の画像の一方を表示することができ、すべての第２の画素が有する第２の表示素子により右目用の画像または左目用の画像の他方を表示することができる。したがって、高解像度の画像を表示することができる。
【００４２】
なお、第１の表示素子は、発光層が発光することにより画像の表示を行う。つまり、第１の表示素子により表示される画像の輝度は外光の照度に依存せず、輝度を制御することができる。一方、第２の表示素子は、反射電極が外光を反射することにより表示を行う。つまり、第２の表示素子により表示される画像の輝度は、外光の照度に依存する。ここで、例えば第１の表示素子により表示される画像の輝度を、第２の表示素子により表示される画像の輝度と同一とすることにより、自然な立体感を有する３次元画像を表示することができる。
【００４３】
図１（Ａ）は本発明の一態様の表示パネル１０の斜視概略図である。表示パネル１０は、基板１０１と基板１０２とが貼り合わされた構成を有する。図１（Ａ）では、基板１０２を破線で示している。
【００４４】
表示パネル１０は、表示部３１、回路２０、配線１０３等を有する。表示部３１には、複数の画素３２がマトリクス状に配置されている。なお、詳細は後述するが、表示部３１は複数の表示部が積層された構成となっており、画素３２は複数の画素が積層された構成となっている。
【００４５】
基板１０１には、例えば回路２０および配線１０３等が設けられる。また図１（Ａ）では基板１０１上にＦＰＣ１０４とＩＣ１０５が実装されている例を示している。そのため、図１（Ａ）に示す構成は、表示パネル１０と、ＦＰＣ１０４およびＩＣ１０５と、を有する表示装置ということもできる。
【００４６】
回路２０は、例えばゲートドライバとしての機能を有する回路とすることができる。他にも、本発明の一態様の表示装置を動作させるためのさまざまな回路とすることができる。
【００４７】
配線１０３は、表示部３１および回路２０等に信号および電力を供給する機能を有する。当該信号および電力は、ＦＰＣ１０４を介して表示装置の外部またはＩＣ１０５から配線１０３に入力される。なお、ＩＣ１０５を設けない構成としてもよい。ＩＣ１０５を設けない構成では、信号および電力は、表示装置の外部からＦＰＣ１０４を介して配線１０３に入力される。
【００４８】
図１（Ｂ）は図１（Ａ）に示す一点鎖線Ａ−Ｂにおける断面図である。図１（Ｂ）に示すように、表示部３１は、表示部３１ａおよび表示部３１ｂの積層構成となっている。例えば、表示部３１ａの上方に表示部３１ｂを設けることができる。図１（Ｂ）に示す構成では、例えば表示部３１ｂが設けられた側を表示部３１の表示面とすることができる。なお、図１（Ｂ）では、トランジスタ等の構成要素を省略している。
【００４９】
表示部３１ａは、第１の表示素子８１およびトランジスタ等を有する。第１の表示素子８１として、例えばボトムエミッション型の発光素子とすることができる。第１の表示素子８１は、例えば表示部３１ｂが設けられた側から導電層１９１、発光層１９２、および導電層１９３ｂの順に積層された構造を有する。また導電層１９３ｂに接して導電層１９３ａを設けることができる。導電層１９１は、第１の表示素子８１の第１の電極としての機能を有し、導電層１９３ａおよび導電層１９３ｂは、第１の表示素子８１の第２の電極の他方としての機能を有する。また、導電層１９３ａは可視光を反射する材料を含むことができ、導電層１９１および導電層１９３ｂは可視光を透過する材料を含むことができる。なお、第１の発光素子８１として白色発光の発光素子を用いる場合、表示部３１ａは、第１の発光素子８１と表示部３１ｂの間に、カラーフィルタを有してもよい。これにより、表示パネル１０はカラー表示が可能となる。
【００５０】
表示部３１ｂは、第２の表示素子９１等を有する。第２の表示素子９１として、例えば反射型の液晶素子とすることができる。第２の表示素子９１は、例えば導電層１１１、液晶層１１２、導電層１１３が積層された構造を有する。また導電層１１１の表示部３１ａ側に接して、導電層５１が設けられている。なお、導電層１１１の表示部３１ｂ側に接して、導電層５１が設けられていてもよい。つまり、導電層５１の上方に導電層１１１を設けてもよいし、導電層１１１の上方に導電層５１を設けてもよい。
【００５１】
なお、表示部３１ｂは、第２の発光素子９１と視差バリア７１の間に、カラーフィルタを有してもよい。また、該カラーフィルタを設ける場合、第１の発光素子８１が発光する光が有色光の場合、第１の発光素子８１の発光色と同じ色のカラーフィルタを設けることが好ましい。または、表示部３１ａ及び表示部３１ｂそれぞれにカラーフィルタを設ける場合、同じ色のカラーフィルタを設けることが好ましい。以上により、表示パネル１０はカラー表示が可能となる。また、表示部３１ａに含まれる第１の表示素子８１から、色純度の優れた発光を得ることができるため好ましい。
【００５２】
導電層１１３は、共通電極としての機能を有する。また、導電層５１は第２の表示素子９１が表示を行う方向に外光を反射する機能を有する。つまり、導電層５１は第２の表示素子９１の反射電極としての機能を有する。
【００５３】
導電層５１は開口２５１を有する。また導電層１１１および導電層１１３は可視光を透過する材料を含む。また液晶層１１２と導電層１１１の間に配向膜１３３ａを設けることができ、液晶層１１２と導電層１１３の間に配向膜１３３ｂを設けることができる。
【００５４】
第１の表示素子８１は、自発光可能な発光層１９２が発光し、当該光が開口２５１等を介して表示部３１の表示面側に射出されることにより、画像を表示することができる。したがって、第１の表示素子８１により表示される画像の輝度は外光の照度に依存せず、輝度を制御することができる。なお、第１の表示素子８１として、例えば、ＬＥＤ（Ｌｉｑｕｉｄ  Ｃｒｙｓｔａｌ  Ｄｉｓｐｌａｙ）、有機ＥＬ素子、無機ＥＬ素子等を用いることができる。例えば、第１の表示素子が有機ＥＬ素子である場合は、第１の表示素子は発光層として有機ＥＬ層を有する発光素子と呼ぶことができる。
【００５５】
第２の表示素子９１では、外光が液晶層１１２を透過し、導電層５１で反射され、当該反射光が表示部３１の表示面側に射出されることにより、画像を表示することができる。したがって、第２の表示素子９１により表示される画像の輝度は外光の照度に依存する。
【００５６】
表示部３１の表示面側には、視差バリア７１が設けられる。例えば、表示部３１ｂの上方に視差バリア７１が設けられる。視差バリア７１は、第１の表示素子８１から発光される光および導電層５１により反射される光を遮断する機能を有する。視差バリア７１としては、遮光性を備えれば良く、例えばクロムを含む導電層、顔料やブラックカーボンを含む有機材料、アクリルやポリイミド等の有機材料を染色した材料を用いて形成できる。
【００５７】
視差バリア７１を設けることにより、右目で見ることができる画像と、左目で見ることができる画像とを異ならせることができる。したがって、３次元表示を行うことができる。
【００５８】
視差バリア７１を適切な位置に設けることにより、図１（Ｂ）に示すように、表示部３１ａに設けられた第１の表示素子８１により表示された画像は右目または左目の一方である目７２ａでのみ見ることができる。また、表示部３１ｂに設けられた第２の表示素子により表示された画像は右目または左目の他方である目７２ｂでのみ見ることができる。したがって、表示部３１ａでは右目用の画像または左目用の画像の一方を表示し、表示部３１ｂでは右目用の画像または左目用の画像の他方を表示することにより、３次元画像を表示することができる。
【００５９】
本発明の一態様の表示装置では、すべての第１の表示素子８１により右目用の画像または左目用の画像の一方を表示することができ、すべての第２の表示素子９１により右目用の画像または左目用の画像の他方を表示することができる。したがって、高解像度の画像を表示することができる。なお、詳細は後述するが、第１の表示素子８１および第２の表示素子９１は、図１（Ａ）に示す画素３２に設けられる。
【００６０】
前述のように、表示部３１ａに設けられた第１の表示素子８１により表示される画像の輝度は外光の照度に依存せず、輝度を制御することができる。ここで、表示部３１ａが表示する画像の輝度を、例えば表示部３１ｂが表示する画像の輝度と同一にすることにより、自然な立体感を有する３次元画像を表示することができる。
【００６１】
以上、本発明の一態様の表示装置では、高品質な３次元画像を表示することができる。なお、表示部３１ａが表示する画像と表示部３１ｂが表示する画像とを同一とすることにより２次元画像を表示することができる。
【００６２】
図１（Ｂ）では、表示部３１ａの上方に表示部３１ｂを設ける構成としたが、本発明の一態様の表示装置の構成はこれに限らない。例えば、図２（Ａ）に示すように、表示部３１ｂの上方に表示部３１ａを設ける構成としてもよい。また、図２（Ｂ）に示すように、表示部３１ｂを設けず、表示部３１ａを複数積層する構成としてもよい。また、図２（Ｃ）に示すように、表示部３１ａを設けず、表示部３１ｂを複数積層する構成としてもよい。なお、図２（Ａ）、（Ｂ）に示すように、表示部３１ａが他の表示部の上方に設けられた場合、当該表示部３１ａについては、可視光を反射する機能を有する導電層１９３ｂを省略する。これにより、導電層１９３ｂを省略した表示部３１ａより下方に設けられた表示部から発光または反射された光を、表示部３１の表示面側に射出させることができる。
【００６３】
本発明の一態様の表示装置を図２（Ｂ）に示す構成とした場合、表示される画像の輝度が外光の照度に影響されない。したがって、暗い場所でも画像を表示することができる。一方、本発明の一態様の表示装置を図２（Ｃ）に示す構成とした場合、自発光を行わずに画像を表示することができる。したがって、消費電力を低減することができる。
【００６４】
次に、本発明の一態様の表示装置のシステムについて説明する。図３は、表示パネル１０の構成例を示すブロック図である。表示パネル１０は、フォトセンサ２１と、フレームメモリ２２と、タイミングコントローラ２３と、表示部３１ａと、表示部３１ｂと、ソースドライバ３３ａと、ソースドライバ３３ｂと、ゲートドライバ３４ａと、ゲートドライバ３４ｂと、を有する。表示部３１ａにはマトリクス状に配列した複数の画素３２ａが設けられ、表示部３１ｂにはマトリクス状に配列した複数の画素３２ｂが設けられる。
【００６５】
画素３２ａは、第１の表示素子８１を有する。画素３２ｂは、第２の表示素子９１を有する。
【００６６】
また、表示パネル１０は、同一列の複数の画素３２ａと、ソースドライバ３３ａと、を電気的に接続する配線Ｓ１を複数有する。また、同一列の複数の画素３２ｂと、ソースドライバ３３ｂと、を電気的に接続する配線Ｓ２を複数有する。また、同一行の複数の画素３２ａと、ゲートドライバ３４ａと、を電気的に接続する配線Ｇ１を複数有する。また、同一行の複数の画素３２ｂと、ゲートドライバ３４ｂと、を電気的に接続する配線Ｇ２を複数有する。
【００６７】
タイミングコントローラ２３は、フォトセンサ２１、フレームメモリ２２、ソースドライバ３３ａ、ソースドライバ３３ｂ、ゲートドライバ３４ａおよびゲートドライバ３４ｂと電気的に接続されている。
【００６８】
フォトセンサ２１は、外光の照度を検出し、当該照度に応じた電位のアナログ信号をタイミングコントローラ２３に出力する機能を有する回路である。フレームメモリ２２は、表示装置の外部から表示装置に送信される表示データＶ１および表示データＶ２を保持する機能を有する回路である。
【００６９】
タイミングコントローラ２３は、表示データＶ１および表示データＶ２を表示装置の外部から受信し、受信した表示データをフレームメモリ２２に送信する機能を有する回路である。また、タイミングコントローラ２３は、所定のタイミングでフレームメモリ２２から表示データＶ１および表示データＶ２を読み出し、表示データＶ１をソースドライバ３３ａに、表示データＶ２をソースドライバ３３ｂにそれぞれ送信する機能を有する回路である。また、タイミングコントローラ２３は、フォトセンサ２１により検出された外光の照度に応じて、後述する画素３２ａにより表示される画像の輝度を制御する機能を有する回路である。また、タイミングコントローラ２３は、ゲートドライバ３４ａおよびゲートドライバ３４ｂの動作を制御する機能を有する回路である。
【００７０】
なお、タイミングコントローラ２３がフレームメモリ２２から表示データＶ１および表示データＶ２を読みだすタイミングは、例えばフレーム周波数に応じたクロック信号により規定することができる。例えば、フレーム周波数が６０Ｈｚである場合、タイミングコントローラ２３はフレームメモリ２２から表示データＶ１および表示データＶ２を、１秒間に６０回読みだすことができる。
【００７１】
画素３２ａは、表示データＶ１に対応する画像を表示する機能を有する。画素３２ｂは、表示データＶ２に対応する画像を表示する機能を有する。画素３２ａは第１の表示素子８１を有し、画素３２ｂは第２の表示素子９１を有することから、表示データＶ１は、右目用の画像または左目用の画像の一方に対応し、表示データＶ２は、右目用の画像または左目用の画像の他方に対応する。
【００７２】
ソースドライバ３３ａは、タイミングコントローラ２３から受信した表示データＶ１を、配線Ｓ１を介して画素３２ａが有する第１の表示素子に送信する機能を有する回路である。ソースドライバ３３ｂは、タイミングコントローラ２３から受信した表示データＶ２を、配線Ｓ２を介して画素３２ｂが有する第２の表示素子に送信する機能を有する回路である。ゲートドライバ３４ａは、配線Ｇ１を介して、画素３２ａに選択信号を供給する機能を有する回路である。ゲートドライバ３４ｂは、配線Ｇ２を介して、画素３２ｂに選択信号を供給する機能を有する回路である。
【００７３】
本発明の一態様の表示装置の動作方法について説明する。まず、タイミングコントローラ２３が、表示装置の外部から表示データＶ１および表示データＶ２を受信する。次に、タイミングコントローラ２３は、受信した表示データＶ１および表示データＶ２をフレームメモリ２２に送信する。フレームメモリ２２は表示データＶ１および表示データＶ２を保持する。その後、クロック信号等で規定されるタイミングに応じて、タイミングコントローラ２３はフレームメモリ２２に保持された表示データＶ１および表示データＶ２を読み出す。次に、表示データＶ１をソースドライバ３３ａに送信し、表示データＶ２をソースドライバ３３ｂに送信する。
【００７４】
その後、ソースドライバ３３ａは表示データＶ１を画素３２ａが有する第１の表示素子８１に送信し、ソースドライバ３３ｂは表示データＶ２を画素３２ｂが有する第２の表示素子９１に送信する。また、フォトセンサ２１により外光の照度を検出し、例えばタイミングコントローラ２３は当該照度に応じて画素３２ａにより表示される画像の輝度を制御する。例えば、画素３２ａにより表示される画像の輝度を、画素３２ｂにより表示される画像の輝度と等しくする。以上により、表示部３１ａに表示データＶ１に対応する画像が表示され、表示部３１ｂに表示データＶ２に対応する画像が表示される。なお、画素３２ａにより表示される画像の輝度は、図３に図示しない回路により制御してもよい。
【００７５】
図３ではソースドライバを２個設け、ゲートドライバを２個設けた場合の構成を示したが、本発明の一態様の表示装置はこれに限らない。例えば、図４に示すようにソースドライバを１個設け、ゲートドライバを１個設けてもよい。また、例えばソースドライバを３個以上設け、ゲートドライバを３個以上設けてもよい。また、例えばソースドライバを２個設け、ゲートドライバを１個設けてもよい。また、例えばソースドライバを１個設け、ゲートドライバを２個設けてもよい。以上のように、ゲートドライバとソースドライバは、それぞれ任意の個数設けることができる。
【００７６】
図４には、画素３２ａを有する表示部３１ａおよび画素３２ｂを有する表示部３１ｂの他、ソースドライバ３３およびゲートドライバ３４を示している。また、図４には配線Ｓ１、配線Ｓ２、配線Ｇ１および配線Ｇ２を示している。
【００７７】
表示パネル１０が図４に示す構成を含む場合、配線Ｓ１は同一列の複数の画素３２ａおよび、ソースドライバ３３と電気的に接続され、配線Ｓ２は同一列の複数の画素３２ｂおよび、ソースドライバ３３と電気的に接続されている。また、配線Ｇ１は同一行の複数の画素３２ａおよび、ゲートドライバ３４と電気的に接続され、配線Ｇ２は同一行の複数の画素３２ｂおよび、ゲートドライバ３４と電気的に接続されている。
【００７８】
図３および図４では、表示部３１ａと表示部３１ｂは積層されていないが、前述のように、実際は図５に示すように表示部３１ａと表示部３１ｂは積層されている。したがって、画素３２ａと画素３２ｂは積層されている。本明細書等では、図５に示すように積層された１組の画素３２ａおよび画素３２ｂを画素３２と呼んでいる。なお、図５では、表示部３１ａ、表示部３１ｂ、画素３２ａおよび画素３２ｂ以外の要素は省略されている。
【００７９】
図６は画素３２の構成例を示す回路図である。画素３２は、画素３２ａおよび画素３２ｂを有する。画素３２ａは、第１の表示素子８１、トランジスタ８２、トランジスタ８３、および容量素子８４等を有する。また、画素３２ａには、配線Ｇ１、配線Ｓ１、および配線ＡＮＯＤＥが電気的に接続されている。画素３２ｂは、第２の表示素子９１、トランジスタ９２、および容量素子９３等を有する。また、画素３２ｂには、配線Ｇ２、配線Ｓ２、および配線ＣＳＣＯＭが電気的に接続されている。図６では、第１の表示素子８１と電気的に接続する配線ＶＣＯＭ１および第２の表示素子９１と電気的に接続する配線ＶＣＯＭ２を示している。
【００８０】
第１の表示素子８１は前述のように発光素子とすることができ、第２の表示素子９１は前述のように液晶素子とすることができる。
【００８１】
なお、トランジスタ８３およびトランジスタ９２は、スイッチング機能を有していればトランジスタに限らず任意の素子を用いることができる。
【００８２】
トランジスタ８３のゲートは配線Ｇ１と電気的に接続され、トランジスタ８３のソースまたはドレインの一方は配線Ｓ１と電気的に接続され、トランジスタ８３のソースまたはドレインの他方は容量素子８４の一方の電極およびトランジスタ８２のゲートと電気的に接続されている。容量素子８４の他方の電極は配線ＡＮＯＤＥと電気的に接続されている。トランジスタ８２のソースまたはドレインの一方は配線ＡＮＯＤＥと電気的に接続され、トランジスタ８２のソースまたはドレインの他方は第１の表示素子８１の第１の電極または第２の電極の一方と電気的に接続されている。第１の表示素子８１の第１の電極または第２の電極の他方は配線ＶＣＯＭ１と電気的に接続されている。
【００８３】
トランジスタ９２のゲートは配線Ｇ２と電気的に接続され、トランジスタ９２のソースまたはドレインの一方は配線Ｓ２と電気的に接続され、トランジスタ９２のソースまたはドレインの他方は容量素子９３の一方の電極および第２の表示素子９１の一方の電極と電気的に接続されている。容量素子９３の他方の電極は配線ＣＳＣＯＭと電気的に接続されている。第２の表示素子９１の他方の電極は配線ＶＣＯＭ２と電気的に接続されている。
【００８４】
図６では、トランジスタ８２が半導体を挟む２つのゲートを有し、これらが電気的に接続されている例を示している。これにより、トランジスタ８２が流すことのできる電流を増大させることができる。
【００８５】
配線Ｇ１には、選択信号としてトランジスタ８３を導通状態または非導通状態に制御する信号を与えることができる。配線Ｓ１には、表示データＶ１に対応し、トランジスタ８２の導通状態を制御する信号を与えることができる。配線ＶＣＯＭ１および配線ＡＮＯＤＥには、第１の表示素子８１が発光する電位差が生じる電位をそれぞれ与えることができる。なお、配線ＶＣＯＭ１または／および配線ＡＮＯＤＥの電位を制御することにより、第１の表示素子８１の第１の電極と第２の電極の電位差を制御することができる。これにより、第１の表示素子８１により表示される画像の輝度を制御することができる。
【００８６】
第１の表示素子８１の第１の電極と第２の電極の電位差が大きくなると、第１の表示素子８１に流れる電流が大きくなるため、第１の表示素子８１により表示される画像の輝度が高くなる。つまり、配線ＶＣＯＭ１の電位と、配線ＡＮＯＤＥの電位と、の電位差を大きくすることにより、第１の表示素子８１により表示される画像の輝度が高くなる。一方、第１の表示素子８１の第１の電極と第２の電極の電位差が小さくなると、第１の表示素子８１により表示される画像の輝度が低くなる。つまり、配線ＶＣＯＭ１の電位と、配線ＡＮＯＤＥの電位と、の電位差を小さくすることにより、第１の表示素子８１により表示される画像の輝度が低くなる。
【００８７】
また、配線Ｓ１の電位を制御することにより、第１の表示素子８１により表示される画像の輝度を制御してもよい。配線Ｓ１の電位が大きくなると、第１の表示素子８１に流れる電流が大きくなるため、第１の表示素子により表示される画像の輝度が高くなる。一方、配線Ｓ１の電位が小さくなると、第１の表示素子８１に流れる電流が小さくなるため、第１の表示素子により表示される画像の輝度が低くなる。以上より、例えば表示データＶ１に対応する電位に定電位を加減算することにより、第１の表示素子８１により表示される画像の輝度を制御することができる。または、例えば表示データＶ１に対応する電位に定数を乗除することにより、第１の表示素子８１により表示される画像の輝度を制御することができる。
【００８８】
なお、配線ＶＣＯＭ１の電位、配線ＡＮＯＤＥの電位および配線Ｓ１の電位は、例えば図３に示すタイミングコントローラ２３により制御することができる。または、配線ＶＣＯＭ１および配線ＡＮＯＤＥの電位は、図３に図示しない回路により制御してもよい。
【００８９】
配線Ｇ２には、選択信号としてトランジスタ９２を導通状態または非導通状態に制御する信号を与えることができる。配線ＶＣＯＭ２には、所定の電位を与えることができる。配線Ｓ２には、表示データＶ２に対応し、第２の表示素子９１が有する液晶の配向状態を制御する信号を与えることができる。配線ＣＳＣＯＭには、所定の電位を与えることができる。
【００９０】
本実施の形態は、少なくともその一部を本明細書中に記載する他の実施の形態と適宜組み合わせて実施することができる。
【００９１】
（実施の形態２）
本実施の形態では、本発明の一態様の表示パネルの構成について、図面を参照しながら説明する。
【００９２】
図７に、図１（Ａ）で例示した表示パネルの、ＦＰＣ１０４を含む領域の一部、回路２０を含む領域の一部、および表示部３１を含む領域の一部をそれぞれ切断したときの断面の一例を示す。
【００９３】
表示パネルは、基板１０１と基板１０２の間に、絶縁層２２０を有する。また基板１０１と絶縁層２２０の間に、発光素子としての機能を有する第１の表示素子８１、トランジスタ２０１、トランジスタ２０５、トランジスタ２０６、着色層１３４等を有する。また絶縁層２２０と基板１０２の間に、液晶素子としての機能を有する第２の表示素子９１、着色層１３１等を有する。また基板１０２と絶縁層２２０は接着層１４１を介して接着され、基板１０１と絶縁層２２０は接着層１４２を介して接着されている。
【００９４】
トランジスタ２０６は、第２の表示素子９１と電気的に接続し、トランジスタ２０５は、第１の表示素子８１と電気的に接続する。トランジスタ２０５とトランジスタ２０６は、いずれも絶縁層２２０の基板１０１側の面上に形成されているため、これらを同一の工程を用いて作製することができる。
【００９５】
基板１０２には、着色層１３１、遮光層１３２、絶縁層１２１、および第２の表示素子９１の共通電極としての機能を有する導電層１１３、配向膜１３３ｂ、絶縁層１１７等が設けられている。絶縁層１１７は、第２の表示素子９１のセルギャップを保持するためのスペーサとしての機能を有する。
【００９６】
絶縁層２２０の基板１０１側には、絶縁層２１１、絶縁層２１２、絶縁層２１３、絶縁層２１４、絶縁層２１５等の絶縁層が設けられている。絶縁層２１１は、その一部が各トランジスタのゲート絶縁層として機能する。絶縁層２１２、絶縁層２１３、および絶縁層２１４は、各トランジスタを覆って設けられている。また絶縁層２１４を覆って絶縁層２１５が設けられている。絶縁層２１４および絶縁層２１５は、平坦化層としての機能を有する。なお、ここではトランジスタ等を覆う絶縁層として、絶縁層２１２、絶縁層２１３、絶縁層２１４の３層を有する場合について示しているが、これに限られず４層以上であってもよいし、単層、または２層であってもよい。また平坦化層として機能する絶縁層２１４は、不要であれば設けなくてもよい。
【００９７】
また、トランジスタ２０１、トランジスタ２０５、およびトランジスタ２０６は、一部がゲートとして機能する導電層２２１、一部がソースまたはドレインとしての機能を有する導電層２２２、半導体層２３１を有する。ここでは、同一の導電膜を加工して得られる複数の層に、同じハッチングパターンを付している。
【００９８】
第１の表示素子８１は、前述のようにボトムエミッション型の発光素子である。第１の表示素子８１は、絶縁層２２０側から導電層１９１、発光層１９２、および導電層１９３ｂの順に積層された積層構造を有する。また導電層１９３ｂを覆って導電層１９３ａが設けられている。導電層１９３ｂは可視光を反射する材料を含み、導電層１９１および導電層１９３ａは可視光を透過する材料を含む。第１の表示素子８１が発する光は、着色層１３４、絶縁層２２０、後述する導電層５１に設けられた開口２５１、導電層１１３等を介して、基板１０２側に射出される。
【００９９】
第２の表示素子９１は前述のように反射型の液晶素子である。第２の表示素子９１は、導電層１１１、液晶層１１２、導電層１１３が積層された積層構造を有する。また導電層１１１の基板１０１側に接して、可視光を反射する導電層５１が設けられている。導電層５１は開口２５１を有する。また導電層１１１および導電層１１３は可視光を透過する材料を含む。また液晶層１１２と導電層１１１の間に配向膜１３３ａが設けられ、液晶層１１２と導電層１１３の間に配向膜１３３ｂが設けられている。また、基板１０２の外側の面には、偏光板１３０および視差バリア７１を有する。
【０１００】
第２の表示素子９１において、前述のように導電層５１は可視光を反射する機能を有し、導電層１１３は可視光を透過する機能を有する。基板１０２側から入射した光は、偏光板１３０により偏光され、導電層１１３、液晶層１１２を透過し、導電層５１で反射する。そして液晶層１１２および導電層１１３を再度透過して、偏光板１３０に達する。このとき、導電層５１と導電層１１３の間に与える電圧によって液晶の配向を制御し、光の光学変調を制御することができる。すなわち、偏光板１３０を介して、基板１０２側に射出される光の強度を制御することができる。また光は着色層１３１によって特定の波長領域以外の光が吸収されることにより、取り出される光は、例えば赤色を呈する光となる。
【０１０１】
基板１０２側に射出される光の一部は、視差バリア７１により遮断される。これにより、前述のように右目で見ることができる画像と、左目で見ることができる画像とを異ならせることができる。特に、第１の表示素子８１により表示された画像は右目または左目の一方でのみ見ることができ、第２の表示素子９１により表示された画像は右目または左目の他方でのみ見ることができる。
【０１０２】
ここで、図７に示すように、開口２５１には可視光を透過する導電層１１１が設けられていることが好ましい。これにより、開口２５１と重なる領域においてもそれ以外の領域と同様に液晶層１１２が配向するため、これらの領域の境界部で液晶の配向不良が生じ、意図しない光が漏れてしまうことを抑制できる。
【０１０３】
ここで、基板１０２の外側の面に配置する偏光板１３０として直線偏光板を用いてもよいが、円偏光板を用いることもできる。円偏光板としては、例えば直線偏光板と１／４波長位相差板を積層したものを用いることができる。これにより、外光反射を抑制することができる。また、偏光板の種類に応じて、第２の表示素子９１に用いる液晶素子のセルギャップ、配向、駆動電圧等を調整することで、所望のコントラストが実現されるようにすればよい。
【０１０４】
また導電層１９１の端部を覆う絶縁層２１６上には、絶縁層２１７が設けられている。絶縁層２１７は、絶縁層２２０と基板１０１が必要以上に接近することを抑制するスペーサとしての機能を有する。また発光層１９２や導電層１９３ａを遮蔽マスク（メタルマスク）を用いて形成する場合には、当該遮蔽マスクが被形成面に接触することを抑制するためのマスクギャッパとしての機能を有していてもよい。なお、絶縁層２１７は不要であれば設けなくてもよい。
【０１０５】
トランジスタ２０５のソースまたはドレインの一方は、導電層２２４を介して第１の表示素子８１の導電層１９１と電気的に接続されている。
【０１０６】
トランジスタ２０６のソースまたはドレインの一方は、接続部２０７を介して導電層５１と電気的に接続されている。導電層５１と導電層１１１は接して設けられ、これらは電気的に接続されている。ここで、接続部２０７は、絶縁層２２０に設けられた開口を介して、絶縁層２２０の両面に設けられる導電層同士を接続する部分である。
【０１０７】
基板１０１の基板１０２と重ならない領域には、接続部２０４が設けられている。接続部２０４は、接続層２４２を介してＦＰＣ１０４と電気的に接続されている。接続部２０４は接続部２０７と同様の構成を有している。接続部２０４の上面は、導電層１１１と同一の導電膜を加工して得られた導電層が露出している。これにより、接続部２０４とＦＰＣ１０４とを接続層２４２を介して電気的に接続することができる。
【０１０８】
接着層１４１が設けられる一部の領域には、接続部２５２が設けられている。接続部２５２において、導電層１１１と同一の導電膜を加工して得られた導電層と、導電層１１３の一部が、接続体２４３により電気的に接続されている。したがって、基板１０２側に形成された導電層１１３に、基板１０１側に接続されたＦＰＣ１０４から入力される信号または電位を、接続部２５２を介して供給することができる。
【０１０９】
接続体２４３としては、例えば導電性の粒子を用いることができる。導電性の粒子としては、有機樹脂またはシリカなどの粒子の表面を金属材料で被覆したものを用いることができる。金属材料としてニッケルや金を用いると接触抵抗を低減できるため好ましい。またニッケルをさらに金で被覆するなど、２種類以上の金属材料を層状に被覆させた粒子を用いることが好ましい。また接続体２４３として、弾性変形、または塑性変形する材料を用いることが好ましい。このとき導電性の粒子である接続体２４３は、図７に示すように上下方向に潰れた形状となる場合がある。こうすることで、接続体２４３と、これと電気的に接続する導電層との接触面積が増大し、接触抵抗を低減できるほか、接続不良などの不具合の発生を抑制することができる。
【０１１０】
接続体２４３は、接着層１４１に覆われるように配置することが好ましい。例えば接着層１４１となるペースト等を塗布した後に、接続体２４３を散布すればよい。
【０１１１】
図７では、回路２０の例としてトランジスタ２０１が設けられている例を示している。
【０１１２】
図７では、トランジスタ２０１およびトランジスタ２０５の例として、チャネルが形成される半導体層２３１を２つのゲートで挟持する構成が適用されている。一方のゲートは導電層２２１により、他方のゲートは絶縁層２１２を介して半導体層２３１と重なる導電層２２３により構成されている。このような構成とすることで、トランジスタのしきい値電圧を制御することができる。このとき、２つのゲートを接続し、これらに同一の信号を供給することによりトランジスタを駆動してもよい。このようなトランジスタは他のトランジスタと比較して電界効果移動度を高めることが可能であり、オン電流を増大させることができる。その結果、高速駆動が可能な回路を作製することができる。さらには、回路部の占有面積を縮小することが可能となる。オン電流の大きなトランジスタを適用することで、表示パネルを大型化、または高精細化したときに配線数が増大したとしても、各配線における信号遅延を低減することが可能であり、表示ムラを抑制することができる。
【０１１３】
なお、回路２０が有するトランジスタと、表示部３１が有するトランジスタは、同じ構造であってもよい。また回路２０が有する複数のトランジスタは、全て同じ構造であってもよいし、異なる構造のトランジスタを組み合わせて用いてもよい。また、表示部３１が有する複数のトランジスタは、全て同じ構造であってもよいし、異なる構造のトランジスタを組み合わせて用いてもよい。
【０１１４】
各トランジスタを覆う絶縁層２１２、絶縁層２１３のうち少なくとも一方は、水や水素などの不純物が拡散しにくい材料を用いることが好ましい。すなわち、絶縁層２１２または絶縁層２１３はバリア膜として機能させることができる。このような構成とすることで、トランジスタに対して外部から不純物が拡散することを効果的に抑制することが可能となり、信頼性の高い表示パネルを実現できる。
【０１１５】
基板１０２側において、着色層１３１、遮光層１３２を覆って絶縁層１２１が設けられている。絶縁層１２１は、平坦化層としての機能を有していていもよい。絶縁層１２１により、導電層１１３の表面を概略平坦にできるため、液晶層１１２の配向状態を均一にできる。
【０１１６】
表示パネル１００を作製する方法の一例について説明する。例えば剥離層を有する支持基板上に、導電層１１１、導電層５１、絶縁層２２０を順に形成し、その後トランジスタ２０５、トランジスタ２０６、第１の表示素子８１等を形成した後、接着層１４２を用いて基板１０１と支持基板を貼り合せる。その後、剥離層と絶縁層２２０、および剥離層と導電層１１１のそれぞれの界面で剥離することにより、支持基板および剥離層を除去する。またこれとは別に、着色層１３１、遮光層１３２、導電層１１３等をあらかじめ形成した基板１０２を準備する。そして基板１０１または基板１０２に液晶層１１２を滴下し、接着層１４１により基板１０１と基板１０２を貼り合せることで、表示パネル１００を作製することができる。
【０１１７】
剥離層としては、絶縁層２２０および導電層１１１との界面で剥離が生じる材料を適宜選択することができる。特に、剥離層としてタングステンなどの高融点金属材料を含む層と当該金属材料の酸化物を含む層を積層して用い、剥離層上の絶縁層２２０として、窒化シリコンや酸化窒化シリコン、窒化酸化シリコン等を複数積層した層を用いることが好ましい。剥離層に高融点金属材料を用いると、これよりも後に形成する層の形成温度を高めることが可能で、不純物の濃度が低減され、信頼性の高い表示パネルを実現できる。
【０１１８】
導電層１１１としては、金属酸化物、金属窒化物、または低抵抗化された酸化物半導体等の酸化物または窒化物を用いることが好ましい。酸化物半導体を用いる場合には、水素、ボロン、リン、窒素、およびその他の不純物の濃度、並びに酸素欠損量の少なくとも一が、トランジスタに用いる半導体層に比べて高められた材料を、導電層１１１に用いればよい。
【０１１９】
以下では、上記に示す各構成要素について説明する。
【０１２０】
表示パネルが有する基板には、平坦面を有する材料を用いることができる。表示素子からの光を取り出す側の基板には、該光を透過する材料を用いる。例えば、ガラス、石英、セラミック、サファイア、有機樹脂などの材料を用いることができる。
【０１２１】
厚さの薄い基板を用いることで、表示パネルの軽量化、薄型化を図ることができる。さらに、可撓性を有する程度の厚さの基板を用いることで、可撓性を有する表示パネルを実現できる。
【０１２２】
また、発光を取り出さない側の基板は、透光性を有していなくてもよいため、上記に挙げた基板の他に、金属基板等を用いることもできる。金属基板は熱伝導性が高く、基板全体に熱を容易に伝導できるため、表示パネルの局所的な温度上昇を抑制することができ、好ましい。可撓性や曲げ性を得るためには、金属基板の厚さは、１０μｍ以上２００μｍ以下が好ましく、２０μｍ以上５０μｍ以下であることがより好ましい。
【０１２３】
金属基板を構成する材料としては、特に限定はないが、例えば、アルミニウム、銅、ニッケル等の金属、もしくはアルミニウム合金またはステンレス等の合金などを好適に用いることができる。
【０１２４】
また、金属基板の表面を酸化する、または表面に絶縁膜を形成するなどにより、絶縁処理が施された基板を用いてもよい。例えば、スピンコート法やディップ法などの塗布法、電着法、蒸着法、またはスパッタリング法などを用いて絶縁膜を形成してもよいし、酸素雰囲気で放置するまたは加熱するほか、陽極酸化法などによって、基板の表面に酸化膜を形成してもよい。
【０１２５】
可撓性および可視光に対する透過性を有する材料としては、例えば、可撓性を有する程度の厚さのガラスや、ポリエチレンテレフタレート（ＰＥＴ）、ポリエチレンナフタレート（ＰＥＮ）等のポリエステル樹脂、ポリアクリロニトリル樹脂、ポリイミド樹脂、ポリメチルメタクリレート樹脂、ポリカーボネート（ＰＣ）樹脂、ポリエーテルスルホン（ＰＥＳ）樹脂、ポリアミド樹脂、シクロオレフィン樹脂、ポリスチレン樹脂、ポリアミドイミド樹脂、ポリ塩化ビニル樹脂、ポリテトラフルオロエチレン（ＰＴＦＥ）樹脂等が挙げられる。特に、熱膨張係数の低い材料を用いることが好ましく、例えば、熱膨張係数が３０×１０−６／Ｋ以下であるポリアミドイミド樹脂、ポリイミド樹脂、ＰＥＴ等を好適に用いることができる。また、ガラス繊維に有機樹脂を含浸した基板や、無機フィラーを有機樹脂に混ぜて熱膨張係数を下げた基板を使用することもできる。このような材料を用いた基板は、重量が軽いため、該基板を用いた表示パネルも軽量にすることができる。
【０１２６】
上記材料中に繊維体が含まれている場合、繊維体は有機化合物または無機化合物の高強度繊維を用いる。高強度繊維とは、具体的には引張弾性率またはヤング率の高い繊維のことを言い、代表例としては、ポリビニルアルコール系繊維、ポリエステル系繊維、ポリアミド系繊維、ポリエチレン系繊維、アラミド系繊維、ポリパラフェニレンベンゾビスオキサゾール繊維、ガラス繊維、または炭素繊維が挙げられる。ガラス繊維としては、Ｅガラス、Ｓガラス、Ｄガラス、Ｑガラス等を用いたガラス繊維が挙げられる。これらは、織布または不織布の状態で用い、この繊維体に樹脂を含浸させ樹脂を硬化させた構造物を、可撓性を有する基板として用いてもよい。可撓性を有する基板として、繊維体と樹脂からなる構造物を用いると、曲げや局所的押圧による破損に対する信頼性が向上するため、好ましい。
【０１２７】
または、可撓性を有する程度に薄いガラス、金属などを基板に用いることもできる。または、ガラスと樹脂材料とが接着層により貼り合わされた複合材料を用いてもよい。
【０１２８】
可撓性を有する基板に、表示パネルの表面を傷などから保護するハードコート層（例えば、窒化シリコン、酸化アルミニウムなど）や、押圧を分散可能な材質の層（例えば、アラミド樹脂など）等が積層されていてもよい。また、水分等による表示素子の寿命の低下等を抑制するために、可撓性を有する基板に透水性の低い絶縁膜が積層されていてもよい。例えば、窒化シリコン、酸化窒化シリコン、窒化酸化シリコン、酸化アルミニウム、窒化アルミニウム等の無機絶縁材料を用いることができる。
【０１２９】
基板は、複数の層を積層して用いることもできる。特に、ガラス層を有する構成とすると、水や酸素に対するバリア性を向上させ、信頼性の高い表示パネルとすることができる。
【０１３０】
トランジスタは、ゲート電極として機能する導電層と、半導体層と、ソース電極として機能する導電層と、ドレイン電極として機能する導電層と、ゲート絶縁層として機能する絶縁層と、を有する。上記では、ボトムゲート構造のトランジスタを適用した場合を示している。
【０１３１】
なお、本発明の一態様の表示装置が有するトランジスタの構造は特に限定されない。例えば、プレーナ型のトランジスタとしてもよいし、スタガ型のトランジスタとしてもよいし、逆スタガ型のトランジスタとしてもよい。また、トップゲート型またはボトムゲート型のいずれのトランジスタ構造としてもよい。または、チャネルの上下にゲート電極が設けられていてもよい。
【０１３２】
トランジスタに用いる半導体材料の結晶性についても特に限定されず、非晶質半導体、結晶性を有する半導体（微結晶半導体、多結晶半導体、単結晶半導体、または一部に結晶領域を有する半導体）のいずれを用いてもよい。結晶性を有する半導体を用いると、トランジスタ特性の劣化を抑制できるため好ましい。
【０１３３】
また、トランジスタに用いる半導体材料としては、例えば、第１４族の元素（シリコン、ゲルマニウム等）、化合物半導体または酸化物半導体を半導体層に用いることができる。代表的には、シリコンを含む半導体、ガリウムヒ素を含む半導体またはインジウムを含む酸化物半導体などを適用できる。
【０１３４】
特にシリコンよりもバンドギャップの大きな酸化物半導体を適用することが好ましい。シリコンよりもバンドギャップが広く、且つキャリア密度の小さい半導体材料を用いると、トランジスタのオフ状態における電流を低減できるため好ましい。
【０１３５】
特に、半導体層として、複数の結晶部を有し、当該結晶部はｃ軸が半導体層の被形成面、または半導体層の上面に対し概略垂直に配向し、且つ隣接する結晶部間には粒界が確認できない酸化物半導体を用いることが好ましい。
【０１３６】
このような酸化物半導体は、結晶粒界を有さないために表示パネルを湾曲させたときの応力によって酸化物半導体膜にクラックが生じてしまうことが抑制される。したがって、可撓性を有し、湾曲させて用いる表示パネルなどに、このような酸化物半導体を好適に用いることができる。
【０１３７】
また半導体層としてこのような結晶性を有する酸化物半導体を用いることで、電気特性の変動が抑制され、信頼性の高いトランジスタを実現できる。
【０１３８】
また、シリコンよりもバンドギャップの大きな酸化物半導体を用いたトランジスタは、その低いオフ電流により、トランジスタと直列に接続された容量に蓄積した電荷を長期間に亘って保持することが可能である。このようなトランジスタを画素に適用することで、各表示領域に表示した画像の階調を維持しつつ、駆動回路を停止することも可能となる。その結果、極めて消費電力の低減された表示装置を実現できる。
【０１３９】
半導体層は、例えば少なくともインジウム、亜鉛およびＭ（アルミニウム、チタン、ガリウム、ゲルマニウム、イットリウム、ジルコニウム、ランタン、セリウム、スズ、ネオジムまたはハフニウム等の金属）を含むＩｎ−Ｍ−Ｚｎ系酸化物で表記される膜を含むことが好ましい。また、該酸化物半導体を用いたトランジスタの電気特性のばらつきを減らすため、それらと共に、スタビライザーを含むことが好ましい。
【０１４０】
スタビライザーとしては、上記Ｍで記載の金属を含め、例えば、ガリウム、スズ、ハフニウム、アルミニウム、またはジルコニウム等がある。また、他のスタビライザーとしては、ランタノイドである、ランタン、セリウム、プラセオジム、ネオジム、サマリウム、ユウロピウム、ガドリニウム、テルビウム、ジスプロシウム、ホルミウム、エルビウム、ツリウム、イッテルビウム、ルテチウム等がある。
【０１４１】
半導体層を構成する酸化物半導体として、例えば、Ｉｎ−Ｇａ−Ｚｎ系酸化物、Ｉｎ−Ａｌ−Ｚｎ系酸化物、Ｉｎ−Ｓｎ−Ｚｎ系酸化物、Ｉｎ−Ｈｆ−Ｚｎ系酸化物、Ｉｎ−Ｌａ−Ｚｎ系酸化物、Ｉｎ−Ｃｅ−Ｚｎ系酸化物、Ｉｎ−Ｐｒ−Ｚｎ系酸化物、Ｉｎ−Ｎｄ−Ｚｎ系酸化物、Ｉｎ−Ｓｍ−Ｚｎ系酸化物、Ｉｎ−Ｅｕ−Ｚｎ系酸化物、Ｉｎ−Ｇｄ−Ｚｎ系酸化物、Ｉｎ−Ｔｂ−Ｚｎ系酸化物、Ｉｎ−Ｄｙ−Ｚｎ系酸化物、Ｉｎ−Ｈｏ−Ｚｎ系酸化物、Ｉｎ−Ｅｒ−Ｚｎ系酸化物、Ｉｎ−Ｔｍ−Ｚｎ系酸化物、Ｉｎ−Ｙｂ−Ｚｎ系酸化物、Ｉｎ−Ｌｕ−Ｚｎ系酸化物、Ｉｎ−Ｓｎ−Ｇａ−Ｚｎ系酸化物、Ｉｎ−Ｈｆ−Ｇａ−Ｚｎ系酸化物、Ｉｎ−Ａｌ−Ｇａ−Ｚｎ系酸化物、Ｉｎ−Ｓｎ−Ａｌ−Ｚｎ系酸化物、Ｉｎ−Ｓｎ−Ｈｆ−Ｚｎ系酸化物、Ｉｎ−Ｈｆ−Ａｌ−Ｚｎ系酸化物を用いることができる。
【０１４２】
なお、ここで、Ｉｎ−Ｇａ−Ｚｎ系酸化物とは、ＩｎとＧａとＺｎを主成分として有する酸化物という意味であり、ＩｎとＧａとＺｎの比率は問わない。また、ＩｎとＧａとＺｎ以外の金属元素が入っていてもよい。
【０１４３】
また、半導体層と導電層は、上記酸化物のうち同一の金属元素を有していてもよい。半導体層と導電層を同一の金属元素とすることで、製造コストを低減させることができる。例えば、同一の金属組成の金属酸化物ターゲットを用いることで、製造コストを低減させることができる。また半導体層と導電層を加工する際のエッチングガスまたはエッチング液を共通して用いることができる。ただし、半導体層と導電層は、同一の金属元素を有していても、組成が異なる場合がある。例えば、トランジスタおよび容量素子の作製工程中に、膜中の金属元素が脱離し、異なる金属組成となる場合がある。
【０１４４】
半導体層を構成する酸化物半導体は、エネルギーギャップが２ｅＶ以上、好ましくは２．５ｅＶ以上、より好ましくは３ｅＶ以上であることが好ましい。このように、エネルギーギャップの広い酸化物半導体を用いることで、トランジスタのオフ電流を低減することができる。
【０１４５】
半導体層を構成する酸化物半導体がＩｎ−Ｍ−Ｚｎ酸化物の場合、Ｉｎ−Ｍ−Ｚｎ酸化物を成膜するために用いるスパッタリングターゲットの金属元素の原子数比は、Ｉｎ≧Ｍ、Ｚｎ≧Ｍを満たすことが好ましい。このようなスパッタリングターゲットの金属元素の原子数比として、Ｉｎ：Ｍ：Ｚｎ＝１：１：１、Ｉｎ：Ｍ：Ｚｎ＝１：１：１．２、Ｉｎ：Ｍ：Ｚｎ＝３：１：２、４：２：４．１等が好ましい。なお、成膜される半導体層の原子数比はそれぞれ、誤差として上記のスパッタリングターゲットに含まれる金属元素の原子数比のプラスマイナス４０％の変動を含む。
【０１４６】
半導体層としては、キャリア密度の低い酸化物半導体膜を用いる。例えば、半導体層は、キャリア密度が１×１０１７個／ｃｍ３以下、好ましくは１×１０１５個／ｃｍ３以下、さらに好ましくは１×１０１３個／ｃｍ３以下、より好ましくは１×１０１１個／ｃｍ３以下、さらに好ましくは１×１０１０個／ｃｍ３未満であり、１×１０−９個／ｃｍ３以上のキャリア密度の酸化物半導体を用いることができる。そのような酸化物半導体を、高純度真性または実質的に高純度真性な酸化物半導体と呼ぶ。これにより不純物濃度が低く、欠陥準位密度が低いため、安定な特性を有する酸化物半導体であるといえる。
【０１４７】
なお、これらに限られず、必要とするトランジスタの半導体特性および電気特性（電界効果移動度、しきい値電圧等）に応じて適切な組成のものを用いればよい。また、必要とするトランジスタの半導体特性を得るために、半導体層のキャリア密度や不純物濃度、欠陥密度、金属元素と酸素の原子数比、原子間距離、密度等を適切なものとすることが好ましい。
【０１４８】
半導体層を構成する酸化物半導体において、第１４族元素の一つであるシリコンや炭素が含まれると、半導体層において酸素欠損が増加し、ｎ型化してしまう。このため、半導体層におけるシリコンや炭素の濃度（二次イオン質量分析法により得られる濃度）を、２×１０１８ａｔｏｍｓ／ｃｍ３以下、好ましくは２×１０１７ａｔｏｍｓ／ｃｍ３以下とする。
【０１４９】
また、アルカリ金属およびアルカリ土類金属は、酸化物半導体と結合するとキャリアを生成する場合があり、トランジスタのオフ電流が増大してしまうことがある。このため半導体層における二次イオン質量分析法により得られるアルカリ金属またはアルカリ土類金属の濃度を、１×１０１８ａｔｏｍｓ／ｃｍ３以下、好ましくは２×１０１６ａｔｏｍｓ／ｃｍ３以下にする。
【０１５０】
また、半導体層を構成する酸化物半導体に窒素が含まれていると、キャリアである電子が生じ、キャリア密度が増加し、ｎ型化しやすい。この結果、窒素が含まれている酸化物半導体を用いたトランジスタはノーマリーオン特性となりやすい。このため半導体層における二次イオン質量分析法により得られる窒素濃度は、５×１０１８ａｔｏｍｓ／ｃｍ３以下にすることが好ましい。
【０１５１】
また、半導体層は、例えば非単結晶構造でもよい。非単結晶構造は、例えば、ＣＡＡＣ−ＯＳ（Ｃ−Ａｘｉｓ  Ａｌｉｇｎｅｄ  Ｃｒｙｓｔａｌｌｉｎｅ  Ｏｘｉｄｅ  Ｓｅｍｉｃｏｎｄｕｃｔｏｒ、または、Ｃ−Ａｘｉｓ  Ａｌｉｇｎｅｄ  ａｎｄ  Ａ−Ｂ−ｐｌａｎｅ  Ａｎｃｈｏｒｅｄ  Ｃｒｙｓｔａｌｌｉｎｅ  Ｏｘｉｄｅ  Ｓｅｍｉｃｏｎｄｕｃｔｏｒ）、多結晶構造、微結晶構造、または非晶質構造を含む。非単結晶構造において、非晶質構造は最も欠陥準位密度が高く、ＣＡＡＣ−ＯＳは最も欠陥準位密度が低い。
【０１５２】
非晶質構造の酸化物半導体膜は、例えば、原子配列が無秩序であり、結晶成分を有さない。または、非晶質構造の酸化物膜は、例えば、完全な非晶質構造であり、結晶部を有さない。
【０１５３】
なお、半導体層が、非晶質構造の領域、微結晶構造の領域、多結晶構造の領域、ＣＡＡＣ−ＯＳの領域、単結晶構造の領域のうち、二種以上を有する混合膜であってもよい。混合膜は、例えば上述した領域のうち、いずれか二種以上の領域を含む単層構造、または積層構造を有する場合がある。
【０１５４】
または、トランジスタのチャネルが形成される半導体に、シリコンを用いることが好ましい。シリコンとしてアモルファスシリコンを用いてもよいが、特に結晶性を有するシリコンを用いることが好ましい。例えば、微結晶シリコン、多結晶シリコン、単結晶シリコンなどを用いることが好ましい。特に、多結晶シリコンは、単結晶シリコンに比べて低温で形成でき、且つアモルファスシリコンに比べて高い電界効果移動度と高い信頼性を備える。このような多結晶半導体を画素に適用することで画素の開口率を向上させることができる。また極めて高精細な表示部とする場合であっても、ゲート駆動回路とソース駆動回路を画素と同一基板上に形成することが可能となり、電子機器を構成する部品数を低減することができる。
【０１５５】
本実施の形態で例示したボトムゲート構造のトランジスタは、作製工程を削減できるため好ましい。またこのときアモルファスシリコンを用いることで、多結晶シリコンよりも低温で形成できるため、半導体層よりも下層の配線は電極の材料、基板の材料として、耐熱性の低い材料を用いることが可能なため、材料の選択の幅を広げることができる。例えば、極めて大面積のガラス基板などを好適に用いることができる。一方、トップゲート型のトランジスタは、自己整合的に不純物領域を形成しやすいため、特性のばらつきなどを低減することできるため好ましい。このとき特に、多結晶シリコンや単結晶シリコンなどを用いる場合に適している。
【０１５６】
トランジスタのゲート、ソースおよびドレインのほか、表示装置を構成する各種配線および電極などの導電層に用いることのできる材料としては、アルミニウム、チタン、クロム、ニッケル、銅、イットリウム、ジルコニウム、モリブデン、銀、タンタル、またはタングステンなどの金属、またはこれを主成分とする合金などが挙げられる。またこれらの材料を含む膜を単層で、または積層構造として用いることができる。例えば、シリコンを含むアルミニウム膜の単層構造、チタン膜上にアルミニウム膜を積層する二層構造、タングステン膜上にアルミニウム膜を積層する二層構造、銅−マグネシウム−アルミニウム合金膜上に銅膜を積層する二層構造、チタン膜上に銅膜を積層する二層構造、タングステン膜上に銅膜を積層する二層構造、チタン膜または窒化チタン膜と、その上に重ねてアルミニウム膜または銅膜を積層し、さらにその上にチタン膜または窒化チタン膜を形成する三層構造、モリブデン膜または窒化モリブデン膜と、その上に重ねてアルミニウム膜または銅膜を積層し、さらにその上にモリブデン膜または窒化モリブデン膜を形成する三層構造等がある。なお、酸化インジウム、酸化錫または酸化亜鉛等の酸化物を用いてもよい。また、マンガンを含む銅を用いると、エッチングによる形状の制御性が高まるため好ましい。
【０１５７】
また、透光性を有する導電性材料としては、酸化インジウム、インジウム錫酸化物、インジウム亜鉛酸化物、酸化亜鉛、ガリウムを添加した酸化亜鉛などの導電性酸化物またはグラフェンを用いることができる。または、金、銀、白金、マグネシウム、ニッケル、タングステン、クロム、モリブデン、鉄、コバルト、銅、パラジウム、またはチタンなどの金属材料や、該金属材料を含む合金材料を用いることができる。または、該金属材料の窒化物（例えば、窒化チタン）などを用いてもよい。なお、金属材料、合金材料（またはそれらの窒化物）を用いる場合には、透光性を有する程度に薄くすればよい。また、上記材料の積層膜を導電層として用いることができる。例えば、銀とマグネシウムの合金とインジウムスズ酸化物の積層膜などを用いると、導電性を高めることができるため好ましい。これらは、表示装置を構成する各種配線および電極などの導電層や、表示素子が有する導電層（画素電極や共通電極として機能する導電層）にも用いることができる。
【０１５８】
各絶縁層に用いることのできる絶縁材料としては、例えば、アクリル、エポキシなどの樹脂、シリコーンなどのシロキサン結合を有する樹脂の他、酸化シリコン、酸化窒化シリコン、窒化酸化シリコン、窒化シリコン、酸化アルミニウムなどの無機絶縁材料を用いることもできる。
【０１５９】
また発光素子は、一対の透水性の低い絶縁膜の間に設けられていることが好ましい。これにより、発光素子に水等の不純物が侵入することを抑制でき、装置の信頼性の低下を抑制できる。
【０１６０】
透水性の低い絶縁膜としては、窒化シリコン膜、窒化酸化シリコン膜等の窒素と珪素を含む膜や、窒化アルミニウム膜等の窒素とアルミニウムを含む膜等が挙げられる。また、酸化シリコン膜、酸化窒化シリコン膜、酸化アルミニウム膜等を用いてもよい。
【０１６１】
例えば、透水性の低い絶縁膜の水蒸気透過量は、１×１０−５［ｇ／（ｍ２・ｄａｙ）］以下、好ましくは１×１０−６［ｇ／（ｍ２・ｄａｙ）］以下、より好ましくは１×１０−７［ｇ／（ｍ２・ｄａｙ）］以下、さらに好ましくは１×１０−８［ｇ／（ｍ２・ｄａｙ）］以下とする。
【０１６２】
液晶素子としては、例えば垂直配向（ＶＡ：Ｖｅｒｔｉｃａｌ  Ａｌｉｇｎｍｅｎｔ）モードが適用された液晶素子を用いることができる。垂直配向モードとしては、ＭＶＡ（Ｍｕｌｔｉ−Ｄｏｍａｉｎ  Ｖｅｒｔｉｃａｌ  Ａｌｉｇｎｍｅｎｔ）モード、ＰＶＡ（Ｐａｔｔｅｒｎｅｄ  Ｖｅｒｔｉｃａｌ  Ａｌｉｇｎｍｅｎｔ）モード、ＡＳＶ（Ａｄｖａｎｃｅｄ  Ｓｕｐｅｒ  Ｖｉｅｗ）モードなどを用いることができる。
【０１６３】
また、液晶素子には、様々なモードが適用された液晶素子を用いることができる。例えばＶＡモードのほかに、ＴＮ（Ｔｗｉｓｔｅｄ  Ｎｅｍａｔｉｃ）モード、ＩＰＳ（Ｉｎ−Ｐｌａｎｅ−Ｓｗｉｔｃｈｉｎｇ）モード、ＦＦＳ（Ｆｒｉｎｇｅ  Ｆｉｅｌｄ  Ｓｗｉｔｃｈｉｎｇ）モード、ＡＳＭ（Ａｘｉａｌｌｙ  Ｓｙｍｍｅｔｒｉｃ  ａｌｉｇｎｅｄ  Ｍｉｃｒｏ−ｃｅｌｌ）モード、ＯＣＢ（Ｏｐｔｉｃａｌｌｙ  Ｃｏｍｐｅｎｓａｔｅｄ  Ｂｉｒｅｆｒｉｎｇｅｎｃｅ）モード、ＦＬＣ（Ｆｅｒｒｏｅｌｅｃｔｒｉｃ  Ｌｉｑｕｉｄ  Ｃｒｙｓｔａｌ）モード、ＡＦＬＣ（ＡｎｔｉＦｅｒｒｏｅｌｅｃｔｒｉｃ  Ｌｉｑｕｉｄ  Ｃｒｙｓｔａｌ）モード等が適用された液晶素子を用いることができる。
【０１６４】
なお、液晶素子は、液晶の光学的変調作用によって光の透過または非透過を制御する素子である。なお、液晶の光学的変調作用は、液晶にかかる電界（横方向の電界、縦方向の電界または斜め方向の電界を含む）によって制御される。なお、液晶素子に用いる液晶としては、サーモトロピック液晶、低分子液晶、高分子液晶、高分子分散型液晶（ＰＤＬＣ：Ｐｏｌｙｍｅｒ  Ｄｉｓｐｅｒｓｅｄ  Ｌｉｑｕｉｄ  Ｃｒｙｓｔａｌ）、強誘電性液晶、反強誘電性液晶等を用いることができる。これらの液晶材料は、条件により、コレステリック相、スメクチック相、キュービック相、カイラルネマチック相、等方相等を示す。
【０１６５】
また、液晶材料としては、ポジ型の液晶、またはネガ型の液晶のいずれを用いてもよく、適用するモードや設計に応じて最適な液晶材料を用いればよい。
【０１６６】
また、液晶の配向を制御するため、配向膜を設けることができる。なお、横電界方式を採用する場合、配向膜を用いないブルー相を示す液晶を用いてもよい。ブルー相は液晶相の一つであり、コレステリック液晶を昇温していくと、コレステリック相から等方相へ転移する直前に発現する相である。ブルー相は狭い温度範囲でしか発現しないため、温度範囲を改善するために数重量％以上のカイラル剤を混合させた液晶組成物を液晶層に用いる。ブルー相を示す液晶とカイラル剤とを含む液晶組成物は、応答速度が短く、光学的等方性である。また、ブルー相を示す液晶とカイラル剤とを含む液晶組成物は、配向処理が不要であり、視野角依存性が小さい。また配向膜を設けなくてもよいのでラビング処理も不要となるため、ラビング処理によって引き起こされる静電破壊を防止することができ、作製工程中の液晶表示装置の不良や破損を軽減することができる。
【０１６７】
また、液晶素子として、透過型の液晶素子、反射型の液晶素子、または半透過型の液晶素子などを用いることができる。
【０１６８】
本発明の一態様では、特に反射型の液晶素子を用いることができる。
【０１６９】
透過型または半透過型の液晶素子を用いる場合、一対の基板を挟むように、２つの偏光板を設ける。また偏光板よりも外側に、バックライトを設ける。バックライトとしては、直下型のバックライトであってもよいし、エッジライト型のバックライトであってもよい。ＬＥＤ（Ｌｉｇｈｔ  Ｅｍｉｔｔｉｎｇ  Ｄｉｏｄｅ）を備える直下型のバックライトを用いると、ローカルディミングが容易となり、コントラストを高めることができるため好ましい。また、エッジライト型のバックライトを用いると、バックライトを含めたモジュールの厚さを低減できるため好ましい。
め好ましい。
【０１７０】
反射型の液晶素子を用いる場合には、表示面側に偏光板を設ける。またこれとは別に、表示面側に光拡散板を配置すると、視認性を向上させられるため好ましい。
【０１７１】
また、反射型、または半透過型の液晶素子を用いる場合、偏光板よりも外側に、フロントライトを設けてもよい。フロントライトとしては、エッジライト型のフロントライトを用いることが好ましい。ＬＥＤ（Ｌｉｇｈｔ  Ｅｍｉｔｔｉｎｇ  Ｄｉｏｄｅ）を備えるフロントライトを用いると、消費電力を低減できるため好ましい。
【０１７２】
発光素子としては、自発光が可能な素子を用いることができ、電流または電圧によって輝度が制御される素子をその範疇に含んでいる。例えば、ＬＥＤ、有機ＥＬ素子、無機ＥＬ素子等を用いることができる。
【０１７３】
発光素子は、トップエミッション型、ボトムエミッション型、デュアルエミッション型などがある。光を取り出す側の電極には、可視光を透過する導電膜を用いる。また、光を取り出さない側の電極には、可視光を反射する導電膜を用いることが好ましい。
【０１７４】
本発明の一態様では、特にボトムエミッション型の発光素子を用いることができる。
【０１７５】
ＥＬ層は少なくとも発光層を有する。ＥＬ層は、発光層以外の層として、正孔注入性の高い物質、正孔輸送性の高い物質、正孔ブロック材料、電子輸送性の高い物質、電子注入性の高い物質、またはバイポーラ性の物質（電子輸送性および正孔輸送性が高い物質）等を含む層をさらに有していてもよい。
【０１７６】
ＥＬ層には低分子系化合物および高分子系化合物のいずれを用いることもでき、無機化合物を含んでいてもよい。ＥＬ層を構成する層は、それぞれ、蒸着法（真空蒸着法を含む）、転写法、印刷法、インクジェット法、塗布法等の方法で形成することができる。
【０１７７】
陰極と陽極の間に、発光素子の閾値電圧より高い電圧を印加すると、ＥＬ層に陽極側から正孔が注入され、陰極側から電子が注入される。注入された電子と正孔はＥＬ層において再結合し、ＥＬ層に含まれる発光物質が発光する。
【０１７８】
発光素子として、白色発光の発光素子を適用する場合には、ＥＬ層に２種類以上の発光物質を含む構成とすることが好ましい。例えば２以上の発光物質の各々の発光が補色の関係となるように、発光物質を選択することにより白色発光を得ることができる。例えば、それぞれＲ（赤）、Ｇ（緑）、Ｂ（青）、Ｙ（黄）、Ｏ（橙）等の発光を示す発光物質、またはＲ、Ｇ、Ｂのうち２以上の色のスペクトル成分を含む発光を示す発光物質のうち、２以上を含むことが好ましい。また、発光素子からの発光のスペクトルが、可視光領域の波長（例えば３５０ｎｍ乃至７５０ｎｍ）の範囲内に２以上のピークを有する発光素子を適用することが好ましい。また、黄色の波長領域にピークを有する材料の発光スペクトルは、緑色および赤色の波長領域にもスペクトル成分を有する材料であることが好ましい。
【０１７９】
ＥＬ層は、一の色を発光する発光材料を含む発光層と、他の色を発光する発光材料を含む発光層とが積層された構成とすることが好ましい。例えば、ＥＬ層における複数の発光層は、互いに接して積層されていてもよいし、いずれの発光材料も含まない領域を介して積層されていてもよい。例えば、蛍光発光層と燐光発光層との間に、当該蛍光発光層または燐光発光層と同一の材料（例えばホスト材料、アシスト材料）を含み、且ついずれの発光材料も含まない領域を設ける構成としてもよい。これにより、発光素子の作製が容易になり、また、駆動電圧が低減される。
【０１８０】
また、発光素子は、ＥＬ層を１つ有するシングル素子であってもよいし、複数のＥＬ層が電荷発生層を介して積層されたタンデム素子であってもよい。
【０１８１】
可視光を透過する導電膜は、例えば、酸化インジウム、インジウム錫酸化物、インジウム亜鉛酸化物、酸化亜鉛、ガリウムを添加した酸化亜鉛などを用いて形成することができる。また、金、銀、白金、マグネシウム、ニッケル、タングステン、クロム、モリブデン、鉄、コバルト、銅、パラジウム、もしくはチタン等の金属材料、これら金属材料を含む合金、またはこれら金属材料の窒化物（例えば、窒化チタン）等も、透光性を有する程度に薄く形成することで用いることができる。また、上記材料の積層膜を導電層として用いることができる。例えば、銀とマグネシウムの合金とインジウム錫酸化物の積層膜などを用いると、導電性を高めることができるため好ましい。また、グラフェン等を用いてもよい。
【０１８２】
可視光を反射する導電膜は、例えば、アルミニウム、金、白金、銀、ニッケル、タングステン、クロム、モリブデン、鉄、コバルト、銅、もしくはパラジウム等の金属材料、またはこれら金属材料を含む合金を用いることができる。また、上記金属材料や合金に、ランタン、ネオジム、またはゲルマニウム等が添加されていてもよい。また、チタン、ニッケル、またはネオジムと、アルミニウムを含む合金（アルミニウム合金）を用いてもよい。また銅、パラジウム、マグネシウムと、銀を含む合金を用いてもよい。銀と銅を含む合金は、耐熱性が高いため好ましい。さらに、アルミニウム膜またはアルミニウム合金膜に接して金属膜または金属酸化物膜を積層することで、酸化を抑制することができる。このような金属膜、金属酸化物膜の材料としては、チタンや酸化チタンなどが挙げられる。また、上記可視光を透過する導電膜と金属材料からなる膜とを積層してもよい。例えば、銀とインジウム錫酸化物の積層膜、銀とマグネシウムの合金とインジウム錫酸化物の積層膜などを用いることができる。
【０１８３】
また、例えば可視光を反射する導電膜である導電層５１として、表面に凹凸を備える材料を用いることができる。これにより、入射する光をさまざまな方向に反射して、白色の表示をすることができる。
【０１８４】
電極は、それぞれ、蒸着法やスパッタリング法を用いて形成すればよい。そのほか、インクジェット法などの吐出法、スクリーン印刷法などの印刷法、またはメッキ法を用いて形成することができる。
【０１８５】
なお、上述した、発光層、ならびに正孔注入性の高い物質、正孔輸送性の高い物質、電子輸送性の高い物質、および電子注入性の高い物質、バイポーラ性の物質等を含む層は、それぞれ量子ドットなどの無機化合物や、高分子化合物（オリゴマー、デンドリマー、ポリマー等）を有していてもよい。例えば、量子ドットを発光層に用いることで、発光材料として機能させることもできる。
【０１８６】
なお、量子ドット材料としては、コロイド状量子ドット材料、合金型量子ドット材料、コア・シェル型量子ドット材料、コア型量子ドット材料などを用いることができる。また、１２族と１６族、１３族と１５族、または１４族と１６族の元素グループを含む材料を用いてもよい。または、カドミウム、セレン、亜鉛、硫黄、リン、インジウム、テルル、鉛、ガリウム、ヒ素、アルミニウム等の元素を含む量子ドット材料を用いてもよい。
【０１８７】
接着層としては、紫外線硬化型等の光硬化型接着剤、反応硬化型接着剤、熱硬化型接着剤、嫌気型接着剤などの各種硬化型接着剤を用いることができる。これら接着剤としてはエポキシ樹脂、アクリル樹脂、シリコーン樹脂、フェノール樹脂、ポリイミド樹脂、イミド樹脂、ＰＶＣ（ポリビニルクロライド）樹脂、ＰＶＢ（ポリビニルブチラル）樹脂、ＥＶＡ（エチレンビニルアセテート）樹脂等が挙げられる。特に、エポキシ樹脂等の透湿性が低い材料が好ましい。また、二液混合型の樹脂を用いてもよい。また、接着シート等を用いてもよい。
【０１８８】
また、上記樹脂に乾燥剤を含んでいてもよい。例えば、アルカリ土類金属の酸化物（酸化カルシウムや酸化バリウム等）のように、化学吸着によって水分を吸着する物質を用いることができる。または、ゼオライトやシリカゲル等のように、物理吸着によって水分を吸着する物質を用いてもよい。乾燥剤が含まれていると、水分などの不純物が素子に侵入することを抑制でき、表示パネルの信頼性が向上するため好ましい。
【０１８９】
また、上記樹脂に屈折率の高いフィラーや光散乱部材を混合することにより、光取り出し効率を向上させることができる。例えば、酸化チタン、酸化バリウム、ゼオライト、ジルコニウム等を用いることができる。
【０１９０】
接続層としては、異方性導電フィルム（ＡＣＦ：Ａｎｉｓｏｔｒｏｐｉｃ  Ｃｏｎｄｕｃｔｉｖｅ  Ｆｉｌｍ）や、異方性導電ペースト（ＡＣＰ：Ａｎｉｓｏｔｒｏｐｉｃ  Ｃｏｎｄｕｃｔｉｖｅ  Ｐａｓｔｅ）などを用いることができる。
【０１９１】
着色層に用いることのできる材料としては、金属材料、樹脂材料、顔料または染料が含まれた樹脂材料などが挙げられる。
【０１９２】
遮光層として用いることのできる材料としては、カーボンブラック、チタンブラック、金属、金属酸化物、複数の金属酸化物の固溶体を含む複合酸化物等が挙げられる。遮光層は、樹脂材料を含む膜であってもよいし、金属などの無機材料の薄膜であってもよい。また、遮光層に、着色層の材料を含む膜の積層膜を用いることもできる。例えば、ある色の光を透過する着色層に用いる材料を含む膜と、他の色の光を透過する着色層に用いる材料を含む膜との積層構造を用いることができる。着色層と遮光層の材料を共通化することで、装置を共通化できるほか工程を簡略化できるため好ましい。
【０１９３】
以上が各構成要素についての説明である。
【０１９４】
ここでは、可撓性を有する基板を用いた表示パネルの作製方法の例について説明する。
【０１９５】
ここでは、表示素子、回路、配線、電極、着色層や遮光層などの光学部材、および絶縁層等が含まれる層をまとめて素子層と呼ぶこととする。例えば、素子層は表示素子を含み、表示素子の他に表示素子と電気的に接続する配線、画素や回路に用いるトランジスタなどの素子を備えていてもよい。
【０１９６】
また、ここでは、表示素子が完成した（作製工程が終了した）段階において、素子層を支持し、可撓性を有する部材のことを、基板と呼ぶこととする。例えば、基板には、厚さが１０ｎｍ以上３００μｍ以下の、極めて薄いフィルム等も含まれる。
【０１９７】
可撓性を有し、絶縁表面を備える基板上に素子層を形成する方法としては、代表的には以下に挙げる２つの方法がある。一つは、基板上に直接、素子層を形成する方法である。もう一つは、基板とは異なる支持基板上に素子層を形成した後、素子層と支持基材を剥離し、素子層を基板に転置する方法である。なお、ここでは詳細に説明しないが、上記２つの方法に加え、可撓性を有さない基板上に素子層を形成し、当該基板を研磨等により薄くすることで可撓性を持たせる方法もある。
【０１９８】
基板を構成する材料が、素子層の形成工程にかかる熱に対して耐熱性を有する場合には、基板上に直接、素子層を形成すると、工程が簡略化されるため好ましい。このとき、基板を支持基材に固定した状態で素子層を形成すると、装置内、および装置間における搬送が容易になるため好ましい。
【０１９９】
また、素子層を支持基材上に形成した後に、基板に転置する方法を用いる場合、まず支持基材上に剥離層と絶縁層を積層し、当該絶縁層上に素子層を形成する。続いて、支持基材と素子層の間で剥離し、素子層を基板に転置する。このとき、支持基材と剥離層の界面、剥離層と絶縁層の界面、または剥離層中で剥離が生じるような材料を選択すればよい。この方法では、支持基材や剥離層に耐熱性の高い材料を用いることで、素子層を形成する際に素子層を形成する際にかかる温度の上限を高めることができ、より信頼性の高い素子を有する素子層を形成できるため、好ましい。
【０２００】
例えば剥離層として、タングステンなどの高融点金属材料を含む層と、当該金属材料の酸化物を含む層を積層して用い、剥離層上の絶縁層として、酸化シリコン、窒化シリコン、酸化窒化シリコン、窒化酸化シリコンなどを複数積層した層を用いることが好ましい。なお、本明細書中において、酸化窒化物は、その組成として、窒素よりも酸素の含有量が多い材料を指し、窒化酸化物は、その組成として、酸素よりも窒素の含有量が多い材料を指す。
【０２０１】
素子層と支持基材とを剥離する方法としては、機械的な力を加えることや、剥離層をエッチングすること、または剥離界面に液体を浸透させることなどが、一例として挙げられる。または、剥離界面を形成する２層の熱膨張の違いを利用し、加熱または冷却することにより剥離を行ってもよい。
【０２０２】
また、支持基材と絶縁層の界面で剥離が可能な場合には、剥離層を設けなくてもよい。
【０２０３】
例えば、支持基材としてガラスを用い、絶縁層としてポリイミドなどの有機樹脂を用いることができる。このとき、レーザ光等を用いて有機樹脂の一部を局所的に加熱する、または鋭利な部材により物理的に有機樹脂の一部を切断、または貫通すること等により剥離の起点を形成し、ガラスと有機樹脂の界面で剥離を行ってもよい。
【０２０４】
または、支持基材と有機樹脂からなる絶縁層の間に発熱層を設け、当該発熱層を加熱することにより、当該発熱層と絶縁層の界面で剥離を行ってもよい。発熱層としては、電流を流すことにより発熱する材料、光を吸収することにより発熱する材料、磁場を印加することにより発熱する材料など、様々な材料を用いることができる。例えば発熱層としては、半導体、金属、絶縁体から選択して用いることができる。
【０２０５】
なお、上述した方法において、有機樹脂からなる絶縁層は、剥離後に基板として用いることができる。
【０２０６】
以上が可撓性を有する表示パネルを作製する方法についての説明である。
【０２０７】
次に、図１（Ａ）等に示す各画素３２における、第１の表示素子８１および開口２５１の位置について説明する。
【０２０８】
図８（Ａ）は、画素３２が有する導電層５１の構成例を示す上面図である。前述のように、導電層５１は、画素３２における液晶素子の反射電極として機能する。また導電層５１には、前述のように開口２５１が設けられている。
【０２０９】
図８（Ａ）、（Ｂ）において、方向Ｒは図３等に示す配線Ｇ１および配線Ｇ２と平行な方向を示し、方向Ｃは図３等に示す配線Ｓ１および配線Ｓ２と平行な方向を示す。
【０２１０】
図８（Ａ）には、導電層５１と重なる領域に位置する第１の表示素子８１を破線で示している。第１の表示素子８１は、前述のように導電層５１が有する開口２５１と重ねて配置されている。
【０２１１】
図８（Ａ）では、方向Ｒに隣接する画素３２が異なる色に対応する画素である。このとき、図８（Ａ）に示すように、方向Ｒに隣接する２つの画素において、開口２５１が一列に配列されないように、導電層５１の異なる位置に設けられていることが好ましい。これにより、２つの第１の表示素子８１を離すことが可能で、第１の表示素子８１が発する光が隣接する画素３２が有する着色層に入射してしまう現象（クロストークともいう）を抑制することができる。また、隣接する２つの第１の表示素子８１を離して配置することができるため、第１の表示素子８１のＥＬ層をシャドウマスク等により作り分ける場合であっても、高い精細度の表示パネルを実現できる。
【０２１２】
また、図８（Ｂ）に示すような配列としてもよい。
【０２１３】
非開口部の総面積に対する開口２５１の総面積の比の値が大きすぎると、液晶素子を用いた表示が暗くなってしまう。また、非開口部の総面積に対する開口２５１の総面積の比の値が小さすぎると、第１の表示素子８１を用いた表示が暗くなってしまう。
【０２１４】
また、反射電極として機能する導電層５１に設ける開口２５１の面積が小さすぎると、第１の表示素子８１が射出する光から取り出せる光の効率が低下してしまう。
【０２１５】
開口２５１の形状は、例えば多角形、四角形、楕円形、円形または十字等の形状とすることができる。また、細長い筋状、スリット状、市松模様状の形状としてもよい。また、開口２５１を隣接する画素に寄せて配置してもよい。好ましくは、開口２５１を同じ色を表示する他の画素に寄せて配置する。これにより、クロストークを抑制できる。
【０２１６】
本実施の形態は、少なくともその一部を本明細書中に記載する他の実施の形態と適宜組み合わせて実施することができる。
【０２１７】
（実施の形態３）
本実施の形態では、上記実施の形態に示した各トランジスタに置き換えて用いることのできるトランジスタの一例について、図面を用いて説明する。
【０２１８】
本発明の一態様の表示装置は、ボトムゲート型のトランジスタや、トップゲート型トランジスタなどの様々な形態のトランジスタを用いて作製することができる。よって、既存の製造ラインに合わせて、使用する半導体層の材料やトランジスタ構造を容易に置き換えることができる。
【０２１９】
図９（Ａ１）は、ボトムゲート型のトランジスタの一種であるチャネル保護型のトランジスタ８１０の断面図である。図９（Ａ１）において、トランジスタ８１０は基板７７１上に形成されている。また、トランジスタ８１０は、基板７７１上に絶縁層７７２を介して電極７４６を有する。また、電極７４６上に絶縁層７２６を介して半導体層７４２を有する。電極７４６はゲート電極として機能できる。絶縁層７２６はゲート絶縁層として機能できる。
【０２２０】
また、半導体層７４２のチャネル形成領域上に絶縁層７４１を有する。また、半導体層７４２の一部と接して、絶縁層７２６上に電極７４４ａおよび電極７４４ｂを有する。電極７４４ａは、ソース電極またはドレイン電極の一方として機能できる。電極７４４ｂは、ソース電極またはドレイン電極の他方として機能できる。電極７４４ａの一部、および電極７４４ｂの一部は、絶縁層７４１上に形成される。
【０２２１】
絶縁層７４１は、チャネル保護層として機能できる。チャネル形成領域上に絶縁層７４１を設けることで、電極７４４ａおよび電極７４４ｂの形成時に生じる半導体層７４２の露出を防ぐことができる。よって、電極７４４ａおよび電極７４４ｂの形成時に、半導体層７４２のチャネル形成領域がエッチングされることを防ぐことができる。本発明の一態様によれば、電気特性の良好なトランジスタを実現することができる。
【０２２２】
また、トランジスタ８１０は、電極７４４ａ、電極７４４ｂおよび絶縁層７４１上に絶縁層７２８を有し、絶縁層７２８の上に絶縁層７２９を有する。
【０２２３】
例えば、絶縁層７７２は、絶縁層７２２や絶縁層７０５と同様の材料および方法を用いて形成することができる。なお、絶縁層７７２は複数の絶縁層の積層であってもよい。また、例えば、半導体層７４２は、半導体層７０８と同様の材料および方法を用いて形成することができる。なお、半導体層７４２は複数の半導体層の積層であってもよい。また、例えば、電極７４６は、電極７０６と同様の材料および方法を用いて形成することができる。なお、電極７４６は複数の導電層の積層であってもよい。また、例えば、絶縁層７２６は、絶縁層７０７と同様の材料および方法を用いて形成することができる。なお、絶縁層７２６は複数の絶縁層の積層であってもよい。また、例えば、電極７４４ａおよび電極７４４ｂは、電極７１４または電極７１５と同様の材料および方法を用いて形成することができる。なお、電極７４４ａおよび電極７４４ｂは複数の導電層の積層であってもよい。また、例えば、絶縁層７４１は、絶縁層７２６と同様の材料および方法を用いて形成することができる。なお、絶縁層７４１は複数の絶縁層の積層であってもよい。また、例えば、絶縁層７２８は、絶縁層７１０と同様の材料および方法を用いて形成することができる。なお、絶縁層７２８は複数の絶縁層の積層であってもよい。また、例えば、絶縁層７２９は、絶縁層７１１と同様の材料および方法を用いて形成することができる。なお、絶縁層７２９は複数の絶縁層の積層であってもよい。
【０２２４】
本実施の形態で開示するトランジスタを構成する電極、半導体層、絶縁層などは、他の実施の形態に開示した材料および方法を用いて形成することができる。
【０２２５】
半導体層７４２に酸化物半導体を用いる場合、電極７２４ａおよび電極７２４ｂの、少なくとも半導体層７４２と接する部分に、半導体層７４２の一部から酸素を奪い、酸素欠損を生じさせることが可能な材料を用いることが好ましい。半導体層７４２中の酸素欠損が生じた領域はキャリア濃度が増加し、当該領域はｎ型化し、ｎ型領域（ｎ＋層）となる。したがって、当該領域はソース領域またはドレイン領域として機能することができる。半導体層７４２に酸化物半導体を用いる場合、半導体層７４２から酸素を奪い、酸素欠損を生じさせることが可能な材料の一例として、タングステン、チタン等を挙げることができる。
【０２２６】
半導体層７４２にソース領域およびドレイン領域が形成されることにより、電極７２４ａおよび電極７２４ｂと半導体層７４２の接触抵抗を低減することができる。よって、電界効果移動度や、しきい値電圧などの、トランジスタの電気特性を良好なものとすることができる。
【０２２７】
半導体層７４２にシリコンなどの半導体を用いる場合は、半導体層７４２と電極７２４ａの間、および半導体層７４２と電極７２４ｂの間に、ｎ型半導体またはｐ型半導体として機能する層を設けることが好ましい。ｎ型半導体またはｐ型半導体として機能する層は、トランジスタのソース領域またはドレイン領域として機能することができる。
【０２２８】
絶縁層７２９は、外部からのトランジスタへの不純物の拡散を防ぐ、または低減する機能を有する材料を用いて形成することが好ましい。なお、必要に応じて絶縁層７２９を省略することもできる。
【０２２９】
なお、半導体層７４２に酸化物半導体を用いる場合、絶縁層７２９の形成前または形成後、もしくは絶縁層７２９の形成前後に加熱処理を行ってもよい。加熱処理を行うことで、絶縁層７２９や他の絶縁層中に含まれる酸素を半導体層７４２中に拡散させ、半導体層７４２中の酸素欠損を補填することができる。または、絶縁層７２９を加熱しながら成膜することで、半導体層７４２中の酸素欠損を補填することができる。
【０２３０】
なお、一般に、ＣＶＤ法は、プラズマを利用するプラズマＣＶＤ（ＰＥＣＶＤ：Ｐｌａｓｍａ  Ｅｎｈａｎｃｅｄ  ＣＶＤ）法、熱を利用する熱ＣＶＤ（ＴＣＶＤ：Ｔｈｅｒｍａｌ  ＣＶＤ）法などに分類できる。さらに用いる原料ガスによって金属ＣＶＤ（ＭＣＶＤ：Ｍｅｔａｌ  ＣＶＤ）法、有機金属ＣＶＤ（ＭＯＣＶＤ：Ｍｅｔａｌ  Ｏｒｇａｎｉｃ  ＣＶＤ）法などに分類できる。
【０２３１】
また、一般に、蒸着法は、抵抗加熱蒸着法、電子線蒸着法、ＭＢＥ（Ｍｏｌｅｃｕｌａｒ  Ｂｅａｍ  Ｅｐｉｔａｘｙ）法、ＰＬＤ（Ｐｕｌｓｅｄ  Ｌａｓｅｒ  Ｄｅｐｏｓｉｔｉｏｎ）法、ＩＡＤ（Ｉｏｎ  ｂｅａｍ  Ａｓｓｉｓｔｅｄ  Ｄｅｐｏｓｉｔｉｏｎ）法、ＡＬＤ（Ａｔｏｍｉｃ  Ｌａｙｅｒ  Ｄｅｐｏｓｉｔｉｏｎ）法などに分類できる。
【０２３２】
プラズマＣＶＤ法は、比較的低温で高品質の膜が得られる。また、ＭＯＣＶＤ法や蒸着法などの、成膜時にプラズマを用いない成膜方法を用いると、被形成面にダメージが生じにくく、また、欠陥の少ない膜が得られる。
【０２３３】
また、一般に、スパッタリング法は、ＤＣスパッタリング法、マグネトロンスパッタリング法、ＲＦスパッタリング法、イオンビームスパッタリング法、ＥＣＲ（Ｅｌｅｃｔｒｏｎ  Ｃｙｃｌｏｔｒｏｎ  Ｒｅｓｏｎａｎｃｅ）スパッタリング法、対向ターゲットスパッタリング法などに分類できる。
【０２３４】
対向ターゲットスパッタリング法では、プラズマがターゲット間に閉じこめられるため、基板へのプラズマダメージを低減することができる。また、ターゲットの傾きによっては、スパッタリング粒子の基板への入射角度を浅くすることができるため、段差被覆性を高めることができる。
【０２３５】
図９（Ａ２）に示すトランジスタ８１１は、絶縁層７２９上にバックゲート電極として機能できる電極７２３を有する点が、トランジスタ８１０と異なる。電極７２３は、電極７４６と同様の材料および方法で形成することができる。
【０２３６】
一般に、バックゲート電極は導電層で形成され、ゲート電極とバックゲート電極で半導体層のチャネル形成領域を挟むように配置される。よって、バックゲート電極は、ゲート電極と同様に機能させることができる。バックゲート電極の電位は、ゲート電極と同電位としてもよいし、接地電位（ＧＮＤ電位）や、任意の電位としてもよい。また、バックゲート電極の電位をゲート電極と連動させず独立して変化させることで、トランジスタのしきい値電圧を変化させることができる。
【０２３７】
電極７４６および電極７２３は、どちらもゲート電極として機能することができる。よって、絶縁層７２６、絶縁層７２９、絶縁層７２８、および絶縁層７２９は、それぞれがゲート絶縁層として機能することができる。なお、電極７２３は、絶縁層７２８と絶縁層７２９の間に設けてもよい。
【０２３８】
なお、電極７４６または電極７２３の一方を、「ゲート電極」という場合、他方を「バックゲート電極」という。例えば、トランジスタ８１１において、電極７２３を「ゲート電極」と言う場合、電極７４６を「バックゲート電極」と言う。また、電極７２３を「ゲート電極」として用いる場合は、トランジスタ８１１をトップゲート型のトランジスタの一種と考えることができる。また、電極７４６および電極７２３のどちらか一方を、「第１のゲート電極」といい、他方を「第２のゲート電極」という場合がある。
【０２３９】
半導体層７４２を挟んで電極７４６および電極７２３を設けることで、更には、電極７４６および電極７２３を同電位とすることで、半導体層７４２においてキャリアの流れる領域が膜厚方向においてより大きくなるため、キャリアの移動量が増加する。この結果、トランジスタ８１１のオン電流が大きくなる共に、電界効果移動度が高くなる。
【０２４０】
したがって、トランジスタ８１１は、占有面積に対して大きいオン電流を有するトランジスタである。すなわち、求められるオン電流に対して、トランジスタ８１１の占有面積を小さくすることができる。本発明の一態様によれば、トランジスタの占有面積を小さくすることができる。よって、本発明の一態様によれば、集積度の高い半導体装置を実現することができる。
【０２４１】
また、ゲート電極とバックゲート電極は導電層で形成されるため、トランジスタの外部で生じる電界が、チャネルが形成される半導体層に作用しないようにする機能（特に静電気などに対する電界遮蔽機能）を有する。なお、バックゲート電極を半導体層よりも大きく形成し、バックゲート電極で半導体層を覆うことで、電界遮蔽機能を高めることができる。
【０２４２】
また、電極７４６および電極７２３は、それぞれが外部からの電界を遮蔽する機能を有するため、絶縁層７７２側もしくは電極７２３上方に生じる荷電粒子等の電荷が半導体層７４２のチャネル形成領域に影響しない。この結果、ストレス試験（例えば、ゲートに負の電荷を印加する−ＧＢＴ（Ｇａｔｅ  Ｂｉａｓ−Ｔｅｍｐｅｒａｔｕｒｅ）ストレス試験）による劣化が抑制される。また、ドレイン電圧の大きさにより、オン電流が流れ始めるゲート電圧（立ち上がり電圧）が変化する現象を軽減することができる。なお、この効果は、電極７４６および電極７２３が、同電位、または異なる電位の場合において生じる。
【０２４３】
なお、ＢＴストレス試験は加速試験の一種であり、長期間の使用によって起こるトランジスタの特性変化（経年変化）を短時間で評価することができる。特に、ＢＴストレス試験前後におけるトランジスタのしきい値電圧の変動量は、信頼性を調べるための重要な指標となる。しきい値電圧の変動量が少ないほど、信頼性が高いトランジスタであるといえる。
【０２４４】
また、電極７４６および電極７２３を有し、且つ電極７４６および電極７２３を同電位とすることで、しきい値電圧の変動量が低減される。このため、複数のトランジスタにおける電気特性のばらつきも同時に低減される。
【０２４５】
また、バックゲート電極を有するトランジスタは、ゲートに正の電荷を印加する＋ＧＢＴストレス試験前後におけるしきい値電圧の変動も、バックゲート電極を有さないトランジスタより小さい。
【０２４６】
また、バックゲート電極を、遮光性を有する導電膜で形成することで、バックゲート電極側から半導体層に光が入射することを防ぐことができる。よって、半導体層の光劣化を防ぎ、トランジスタのしきい値電圧がシフトするなどの電気特性の劣化を防ぐことができる。
【０２４７】
本発明の一態様によれば、信頼性の良好なトランジスタを実現することができる。また、信頼性の良好な半導体装置を実現することができる。
【０２４８】
図９（Ｂ１）に、ボトムゲート型のトランジスタの１つであるチャネル保護型のトランジスタ８２０の断面図を示す。トランジスタ８２０は、トランジスタ８１０とほぼ同様の構造を有しているが、絶縁層７４１が半導体層７４２の端部を覆っている点が異なる。また、半導体層７４２と重なる絶縁層７２９の一部を選択的に除去して形成した開口部において、半導体層７４２と電極７４４ａが電気的に接続している。また、半導体層７４２と重なる絶縁層７２９の一部を選択的に除去して形成した他の開口部において、半導体層７４２と電極７４４ｂが電気的に接続している。絶縁層７２９の、チャネル形成領域と重なる領域は、チャネル保護層として機能できる。
【０２４９】
図９（Ｂ２）に示すトランジスタ８２１は、絶縁層７２９上にバックゲート電極として機能できる電極７２３を有する点が、トランジスタ８２０と異なる。
【０２５０】
絶縁層７２９を設けることで、電極７４４ａおよび電極７４４ｂの形成時に生じる半導体層７４２の露出を防ぐことができる。よって、電極７４４ａおよび電極７４４ｂの形成時に半導体層７４２の薄膜化を防ぐことができる。
【０２５１】
また、トランジスタ８２０およびトランジスタ８２１は、トランジスタ８１０およびトランジスタ８１１よりも、電極７４４ａと電極７４６の間の距離と、電極７４４ｂと電極７４６の間の距離が長くなる。よって、電極７４４ａと電極７４６の間に生じる寄生容量を小さくすることができる。また、電極７４４ｂと電極７４６の間に生じる寄生容量を小さくすることができる。本発明の一態様によれば、電気特性の良好なトランジスタを実現できる。
【０２５２】
図９（Ｃ１）に示すトランジスタ８２５は、ボトムゲート型のトランジスタの１つであるチャネルエッチング型のトランジスタである。トランジスタ８２５は、絶縁層７２９を用いずに電極７４４ａおよび電極７４４ｂを形成する。このため、電極７４４ａおよび電極７４４ｂの形成時に露出する半導体層７４２の一部がエッチングされる場合がある。一方、絶縁層７２９を設けないため、トランジスタの生産性を高めることができる。
【０２５３】
図９（Ｃ２）に示すトランジスタ８２５は、絶縁層７２９上にバックゲート電極として機能できる電極７２３を有する点が、トランジスタ８２０と異なる。
【０２５４】
図１０（Ａ１）に、トップゲート型のトランジスタの一種であるトランジスタ８３０の断面図を示す。トランジスタ８３０は、絶縁層７７２の上に半導体層７４２を有し、半導体層７４２および絶縁層７７２上に、半導体層７４２の一部に接する電極７４４ａ、および半導体層７４２の一部に接する電極７４４ｂを有し、半導体層７４２、電極７４４ａ、および電極７４４ｂ上に絶縁層７２６を有し、絶縁層７２６上に電極７４６を有する。
【０２５５】
トランジスタ８３０は、電極７４６および電極７４４ａ、並びに、電極７４６および電極７４４ｂが重ならないため、電極７４６および電極７４４ａの間に生じる寄生容量、並びに、電極７４６および電極７４４ｂの間に生じる寄生容量を小さくすることができる。また、電極７４６を形成した後に、電極７４６をマスクとして用いて不純物７５５を半導体層７４２に導入することで、半導体層７４２中に自己整合（セルフアライメント）的に不純物領域を形成することができる（図１０（Ａ３）参照）。本発明の一態様によれば、電気特性の良好なトランジスタを実現することができる。
【０２５６】
なお、不純物７５５の導入は、イオン注入装置、イオンドーピング装置またはプラズマ処理装置を用いて行うことができる。
【０２５７】
不純物７５５としては、例えば、第１３族元素または第１５族元素のうち、少なくとも一種類の元素を用いることができる。また、半導体層７４２に酸化物半導体を用いる場合は、不純物７５５として、希ガス、水素、および窒素のうち、少なくとも一種類の元素を用いることも可能である。
【０２５８】
図１０（Ａ２）に示すトランジスタ８３１は、電極７２３および絶縁層７２７を有する点がトランジスタ８３０と異なる。トランジスタ８３１は、絶縁層７７２の上に形成された電極７２３を有し、電極７２３上に形成された絶縁層７２７を有する。電極７２３は、バックゲート電極として機能することができる。よって、絶縁層７２７は、ゲート絶縁層として機能することができる。絶縁層７２７は、絶縁層７２６と同様の材料および方法により形成することができる。
【０２５９】
トランジスタ８１１と同様に、トランジスタ８３１は、占有面積に対して大きいオン電流を有するトランジスタである。すなわち、求められるオン電流に対して、トランジスタ８３１の占有面積を小さくすることができる。本発明の一態様によれば、トランジスタの占有面積を小さくすることができる。よって、本発明の一態様によれば、集積度の高い半導体装置を実現することができる。
【０２６０】
図１０（Ｂ１）に例示するトランジスタ８４０は、トップゲート型のトランジスタの１つである。トランジスタ８４０は、電極７４４ａおよび電極７４４ｂを形成した後に半導体層７４２を形成する点が、トランジスタ８３０と異なる。また、図１０（Ｂ２）に例示するトランジスタ８４１は、電極７２３および絶縁層７２７を有する点が、トランジスタ８４０と異なる。トランジスタ８４０およびトランジスタ８４１において、半導体層７４２の一部は電極７４４ａ上に形成され、半導体層７４２の他の一部は電極７４４ｂ上に形成される。
【０２６１】
トランジスタ８１１と同様に、トランジスタ８４１は、占有面積に対して大きいオン電流を有するトランジスタである。すなわち、求められるオン電流に対して、トランジスタ８４１の占有面積を小さくすることができる。本発明の一態様によれば、トランジスタの占有面積を小さくすることができる。よって、本発明の一態様によれば、集積度の高い半導体装置を実現することができる。
【０２６２】
図１１（Ａ１）に例示するトランジスタ８４２は、トップゲート型のトランジスタの１つである。トランジスタ８４２は、絶縁層７２９を形成した後に電極７４４ａおよび電極７４４ｂを形成する点がトランジスタ８３０やトランジスタ８４０と異なる。電極７４４ａおよび電極７４４ｂは、絶縁層７２８および絶縁層７２９に形成した開口部において半導体層７４２と電気的に接続する。
【０２６３】
また、電極７４６と重ならない絶縁層７２６の一部を除去し、電極７４６と残りの絶縁層７２６をマスクとして用いて不純物７５５を半導体層７４２に導入することで、半導体層７４２中に自己整合（セルフアライメント）的に不純物領域を形成することができる（図１１（Ａ３）参照）。トランジスタ８４２は、絶縁層７２６が電極７４６の端部を越えて延伸する領域を有する。不純物７５５を半導体層７４２に導入する際に、半導体層７４２の絶縁層７２６を介して不純物７５５が導入された領域の不純物濃度は、絶縁層７２６を介さずに不純物７５５が導入された領域よりも小さくなる。よって、電極７４６に隣接する半導体層７４２の領域にＬＤＤ（Ｌｉｇｈｔｌｙ  Ｄｏｐｅｄ  Ｄｒａｉｎ）領域が形成される。
【０２６４】
図１１（Ａ２）に示すトランジスタ８４３は、電極７２３を有する点がトランジスタ８４２と異なる。トランジスタ８４３は、基板７７１の上に形成された電極７２３を有し、絶縁層７７２を介して半導体層７４２と重なる。電極７２３は、バックゲート電極として機能することができる。
【０２６５】
また、図１１（Ｂ１）に示すトランジスタ８４４および図１１（Ｂ２）に示すトランジスタ８４５のように、電極７４６と重ならない領域の絶縁層７２６を全て除去してもよい。また、図１１（Ｃ１）に示すトランジスタ８４６および図１１（Ｃ２）に示すトランジスタ８４７のように、絶縁層７２６を残してもよい。
【０２６６】
トランジスタ８４２乃至トランジスタ８４７も、電極７４６を形成した後に、電極７４６をマスクとして用いて不純物７５５を半導体層７４２に導入することで、半導体層７４２中に自己整合的に不純物領域を形成することができる。本発明の一態様によれば、電気特性の良好なトランジスタを実現することができる。また、本発明の一態様によれば、集積度の高い半導体装置を実現することができる。
【０２６７】
本実施の形態は、少なくともその一部を本明細書中に記載する他の実施の形態と適宜組み合わせて実施することができる。
【０２６８】
（実施の形態４）
本実施の形態では、本発明の一態様の表示装置を有する表示モジュール及び電子機器について、図面を用いて説明を行う。
【０２６９】
図１２に示す表示モジュール８０００は、上部カバー８００１と下部カバー８００２との間に、ＦＰＣ８００３が接続されたタッチパネル８００４、ＦＰＣ８００５が接続された表示パネル８００６、フレーム８００９、プリント基板８０１０、バッテリ８０１１を有する。
【０２７０】
本発明の一態様の表示装置は、例えば、表示パネル８００６に用いることができる。
【０２７１】
上部カバー８００１及び下部カバー８００２は、タッチパネル８００４及び表示パネル８００６のサイズに合わせて、形状や寸法を適宜変更することができる。
【０２７２】
タッチパネル８００４は、抵抗膜方式または静電容量方式のタッチパネルを表示パネル８００６に重畳して用いることができる。また、表示パネル８００６の対向基板（封止基板）に、タッチパネル機能を持たせるようにすることも可能である。また、表示パネル８００６の各画素内に光センサを設け、光学式のタッチパネルとすることも可能である。
【０２７３】
フレーム８００９は、表示パネル８００６の保護機能の他、プリント基板８０１０の動作により発生する電磁波を遮断するための電磁シールドとしての機能を有する。またフレーム８００９は、放熱板としての機能を有していてもよい。
【０２７４】
プリント基板８０１０は、電源回路、ビデオ信号及びクロック信号を出力するための信号処理回路を有する。電源回路に電力を供給する電源としては、外部の商用電源であっても良いし、別途設けたバッテリ８０１１による電源であってもよい。バッテリ８０１１は、商用電源を用いる場合には、省略可能である。
【０２７５】
また、表示モジュール８０００は、偏光板、位相差板、プリズムシートなどの部材を追加して設けてもよい。
【０２７６】
図１３（Ａ）乃至（Ｆ）は、電子機器を示す図である。これらの電子機器は、筐体５０００、表示部５００１、スピーカ５００３、ＬＥＤランプ５００４、操作キー５００５（電源スイッチ、又は操作スイッチを含む）、接続端子５００６、センサ５００７（力、変位、位置、速度、加速度、角速度、回転数、距離、光、液、磁気、温度、化学物質、音声、時間、硬度、電場、電流、電圧、電力、放射線、流量、湿度、傾度、振動、におい又は赤外線を測定する機能を含むもの）、マイクロフォン５００８、等を有することができる。
【０２７７】
図１３（Ａ）は、テレビジョン装置であり、表示部５００１を大画面、例えば、５０インチ以上、８０インチ以上、または１００インチ以上の表示部５００１を組み込むことが可能である。
【０２７８】
図１３（Ｂ）は持ち運び型テレビ受像器であり、上述したものの他に、信号の送受信が可能な充電器５０１７等を有することができる。
【０２７９】
図１３（Ｃ）は携帯型ゲーム機であり、上述したものの他に、第２表示部５００２、スタイラス５００９等を有する。なお、本発明の一態様の電子機器が有する表示部の数は、２つに限定されず１つであっても３つ以上であってもよい。電子機器が複数の表示部を有する場合、少なくとも１つの表示部が本発明の一態様が適用された表示装置等を有する。
【０２８０】
図１３（Ｄ）はノート型パーソナルコンピュータである。なお、操作キー５００５として、例えば電源スイッチとすることができる。また、センサ５００７として例えば速度、圧力等を測定する機能を有するタッチパッドとすることができる。
【０２８１】
図１３（Ｅ）は記録媒体を備えた携帯型の画像再生装置（たとえば、ＤＶＤ再生装置）であり、上述したものの他に、第２表示部５００２、記録媒体読込部５０１１等を有する。
【０２８２】
図１３（Ｆ）は携帯情報端末であり、例えばスマートフォンとして用いることができる。
【０２８３】
図１３（Ａ）乃至（Ｆ）に示す電子機器は、様々な機能を有することができる。例えば、様々な情報（静止画、動画、テキスト画像など）を表示部に表示する機能、タッチパネル機能、カレンダー、日付又は時刻などを表示する機能、様々なソフトウェア（プログラム）によって処理を制御する機能、無線通信機能、無線通信機能を用いて様々なコンピュータネットワークに接続する機能、無線通信機能を用いて様々なデータの送信又は受信を行う機能、記録媒体に記録されているプログラム又はデータを読み出して表示部に表示する機能、等を有することができる。さらに、複数の表示部を有する電子機器においては、一つの表示部を主として画像情報を表示し、別の一つの表示部を主として文字情報を表示する機能、または、複数の表示部に視差を考慮した画像を表示することで立体的な画像を表示する機能、等を有することができる。さらに、受像部を有する電子機器においては、静止画を撮影する機能、動画を撮影する機能、撮影した画像を自動または手動で補正する機能、撮影した画像を記録媒体（外部又はカメラに内蔵）に保存する機能、撮影した画像を表示部に表示する機能、等を有することができる。なお、図１３（Ａ）乃至（Ｆ）に示す電子機器が有することのできる機能はこれらに限定されず、様々な機能を有することができる。
【０２８４】
本実施の形態は、少なくともその一部を本明細書中に記載する他の実施の形態と適宜組み合わせて実施することができる。
【符号の説明】
【０２８５】
１０    表示パネル
２０    回路
２１    フォトセンサ
２２    フレームメモリ
２３    タイミングコントローラ
３１    表示部
３１ａ    表示部
３１ｂ    表示部
３２    画素
３２ａ    画素
３２ｂ    画素
３３    ソースドライバ
３３ａ    ソースドライバ
３３ｂ    ソースドライバ
３４    ゲートドライバ
３４ａ    ゲートドライバ
３４ｂ    ゲートドライバ
５１    導電層
７１    視差バリア
７２ａ    目
７２ｂ    目
８１    表示素子
８２    トランジスタ
８３    トランジスタ
８４    容量素子
９１    表示素子
９２    トランジスタ
９３    容量素子
１００    表示パネル
１０１    基板
１０２    基板
１０３    配線
１０４    ＦＰＣ
１０５    ＩＣ
１１１    導電層
１１２    液晶層
１１３    導電層
１１７    絶縁層
１２１    絶縁層
１３０    偏光板
１３１    着色層
１３２    遮光層
１３３ａ    配向膜
１３３ｂ    配向膜
１３４    着色層
１４１    接着層
１４２    接着層
１９１    導電層
１９２    発光層
１９３ａ    導電層
１９３ｂ    導電層
２０１    トランジスタ
２０４    接続部
２０５    トランジスタ
２０６    トランジスタ
２０７    接続部
２１１    絶縁層
２１２    絶縁層
２１３    絶縁層
２１４    絶縁層
２１５    絶縁層
２１６    絶縁層
２１７    絶縁層
２２０    絶縁層
２２１    導電層
２２２    導電層
２２３    導電層
２２４    導電層
２３１    半導体層
２４２    接続層
２４３    接続体
２５１    開口
２５２    接続部
７０５    絶縁層
７０６    電極
７０７    絶縁層
７０８    半導体層
７１０    絶縁層
７１１    絶縁層
７１４    電極
７１５    電極
７２２    絶縁層
７２３    電極
７２４ａ    電極
７２４ｂ    電極
７２６    絶縁層
７２７    絶縁層
７２８    絶縁層
７２９    絶縁層
７４１    絶縁層
７４２    半導体層
７４４ａ    電極
７４４ｂ    電極
７４６    電極
７５５    不純物
７７１    基板
７７２    絶縁層
８１０    トランジスタ
８１１    トランジスタ
８２０    トランジスタ
８２１    トランジスタ
８２５    トランジスタ
８３０    トランジスタ
８３１    トランジスタ
８４０    トランジスタ
８４１    トランジスタ
８４２    トランジスタ
８４３    トランジスタ
８４４    トランジスタ
８４５    トランジスタ
８４６    トランジスタ
８４７    トランジスタ
５０００    筐体
５００１    表示部
５００２    表示部
５００３    スピーカ
５００４    ＬＥＤランプ
５００５    操作キー
５００６    接続端子
５００７    センサ
５００８    マイクロフォン
５００９    スタイラス
５０１１    記録媒体読込部
５０１７    充電器
８０００    表示モジュール
８００１    上部カバー
８００２    下部カバー
８００３    ＦＰＣ
８００４    タッチパネル
８００５    ＦＰＣ
８００６    表示パネル
８００９    フレーム
８０１０    プリント基板
８０１１    バッテリ
【図１】
2017207601.tif 000003
【図２】
2017207601.tif 000004
【図３】
2017207601.tif 000005
【図４】
2017207601.tif 000006
【図５】
2017207601.tif 000007
【図６】
2017207601.tif 000008
【図７】
2017207601.tif 000009
【図８】
2017207601.tif 000010
【図９】
2017207601.tif 000011
【図１０】
2017207601.tif 000012
【図１１】
2017207601.tif 000013
【図１２】
2017207601.tif 000014
【図１３】
2017207601.tif 000015